(57)【特許請求の範囲】
【請求項１】
ビデオ信号をエンコードする方法であって：
入力ビデオ信号の第一のダイナミックレンジの第一のコンテンツバージョンおよび前記入力ビデオ信号の第二のダイナミックレンジの第二のコンテンツバージョンを受領する段階であって、前記第一のダイナミックレンジは前記第二のダイナミックレンジより高い、段階と、
前記第一のコンテンツバージョンおよび前記第二のコンテンツバージョンにマッピング推定プロセスを適用して第三のコンテンツバージョン、第四のコンテンツバージョン及び前記第三と第四のコンテンツバージョンの間の可逆的なマッピング関数を生成する段階であって、前記第三のコンテンツバージョンは、前記第四のコンテンツバージョンに前記マッピング関数の逆を適用することによって生成される、前記第一のコンテンツバージョンの修正バージョンを表わし、前記第一のダイナミックレンジをもち、前記第四のコンテンツバージョンは前記第二のコンテンツバージョンの、より高ビット精度のバージョンを表わし、前記第二のダイナミックレンジをもつ、段階と、
前記第四のコンテンツバージョンの符号化された表現および前記可逆的なマッピング関数に基づいて出力符号化ビットストリームを生成する段階とを含む、
方法。
【請求項２】
前記第一のコンテンツバージョンは前記入力信号のハイダイナミックレンジ（HDR）表現を含み、前記第二のコンテンツバージョンは前記入力信号のロウダイナミックレンジ（LDR）表現を含む、請求項１記載の方法。
【請求項３】
前記第四のコンテンツバージョンは、前記第二のコンテンツバージョンより高精度のビット深度をもつ、請求項１記載の方法。
【請求項４】
前記出力符号化ビットストリームを生成する段階が、前記第四のコンテンツバージョンおよび前記可逆的なマッピング関数を符号化して、H.264ビデオ符号化規格に準拠するビットストリームおよび関係したメタデータを生成する、請求項１記載の方法。
【請求項５】
マッピング関数M[]およびその逆はM-1[]が与えられたとき、
VDR'＝M-1[SDR']かつSDR'＝M[VDR']であり、
VDR'は前記入力ビデオ信号の前記第三のコンテンツバージョンを表わし、SDR'は前記入力ビデオ信号の前記第四のコンテンツバージョンを表わす、
請求項１記載の方法。
【請求項６】
前記マッピング推定プロセスの適用は：
第一の画像および第二の画像にアクセスする段階であって、前記入力ビデオ信号中のあるシーンについて、前記第一の画像および前記第二の画像は前記第一のコンテンツバージョンおよび前記第二のコンテンツバージョンにおける前記シーンの対応する表現である、段階と；
前記第一の画像を使って前記第三のコンテンツバージョン中の第三の画像を初期化する段階と；
前記第二の画像を使って前記第四のコンテンツバージョン中の第四の画像を初期化する段階と；
前記第三の画像と前記第四の画像との間の推定される可逆的なマッピング関数を生成する段階と；
前記可逆的なマッピング関数の精度を評価する段階と；
前記評価する段階が所定の基準を満たさない場合、前記第三の画像および前記第四の画像の少なくとも一方および前記マッピング関数を修正する段階とを含む、
請求項１記載の方法。
【請求項７】
前記マッピング推定プロセスは、前記第一の画像および前記第二の画像の少なくとも二つの色成分に対して作用する、請求項６記載の方法。
【請求項８】
前記推定される可逆的なマッピング関数がS形の多項式曲線に従う、請求項６記載の方法。
【請求項９】
請求項１記載の方法であって、さらに：
デコーダにおいて、前記出力符号化ビットストリームを受領する段階と；
前記可逆的なマッピング関数を抽出し、前記第四のコンテンツバージョンの前記符号化表現に基づいて復号信号を生成する段階と；
前記復号信号に基づいて第五の信号を生成する段階であって、前記第五の信号は前記第二のダイナミックレンジの前記入力信号の復号されたバージョンを表わす、段階と；
前記復号信号および前記可逆的なマッピング関数に基づいて第六の信号を生成する段階であって、前記第六の信号は前記第一のダイナミックレンジの前記入力信号の復号されたバージョンを表わす、段階とを含む、
方法。
【請求項１０】
マッピング関数M[]およびその逆はM-1[]が与えられたとき、
VDR'＝M-1[SDR']であり、
VDR'は前記第六の信号を表わし、SDR'は前記復号信号を表わす、
請求項９記載の方法。
【請求項１１】
エンコーダおよびデコーダおよび請求項１乃至１０の何れか一項記載の処理段階を実行する手段を備えるシステム。
【請求項１２】
請求項１乃至１０の何れか一項記載の方法に従ってプロセッサを用いて方法を実行するためのコンピュータ実行可能命令を記録した非一時的なコンピュータ読み取り可能な記憶媒体。
【発明の詳細な説明】
【技術分野】
【０００１】
本発明は、画像に関するものである。より詳細には、本発明の実施の形態は、画像及び映像のダイナミックレンジを拡大することに関する。  
本出願は、２０１０年８月２５日に提出された米国特許仮出願第６１／３７６，９０７号、及び２０１１年４月１２日に提出された米国特許仮出願第６１／４７４，６４４号に対する優先権を主張するものであり、両者は、あらゆる目的についてその完全な形で本明細書に盛り込まれる。
【背景技術】
【０００２】
本明細書で使用されたとき、用語「ダイナミックレンジ（ＤＲ）」は、例えば最も暗い暗さから最も明るい明るさまでといった、画像における強度（例えば輝度、ルマ）の範囲を知覚する人間の心理視覚システム（ＨＶＳ：  Ｈｕｍａｎ  Ｐｓｙｃｈｏｖｉｓｕａｌ  Ｓｙｓｔｅｍ）の機能に関する。この意味で、ＤＲは、“ｓｃｅｎｅ−ｒｅｆｅｒｒｅｄ”な強度に関連する。また、ＤＲは、特定の幅の強度範囲を適切に又は近似的にレンダリングする表示装置の機能に関する。この意味で、ＤＲは、“ｄｉｓｐｌａｙ−ｒｅｆｅｒｒｅｄ”な強度に関連する。本明細書の記載における何れかの位置で特定の意味を有するように特定の意味が明示的に指定されない場合、この用語は例えば相互交換可能に何れかの意味で使用される場合があることが推定される。
【０００３】
本明細書で使用されたとき、用語「ハイダイナミックレンジ（ＨＤＲ）」は、ＨＶＳの１４〜１５のオーダの大きさに及ぶＤＲの幅（ｂｒｅａｄｔｈ）に関する。例えば、（例えば統計学的、生体測定又は眼科学的な意味の１以上において）本質的な正常さをもつ良好に適合された人間は、約１５のオーダの大きさに及ぶ強度範囲を有する。適合された人間は、数えるぐらいに少ない光子の暗い光源を知覚する場合がある。さらに、これら同じ人間は、砂漠、海又は雪における非常に光り輝く真昼の太陽を知覚する（又はダメージを防止するためにちらりと太陽を見る）場合がある。このスパンは、にもかかわらず、例えばそのＨＶＳがリセット及び調節する期間を有する「適合された」人間にとって利用可能である。
【０００４】
対照的に、強度の範囲において広範囲に及ぶ幅を人間が同時に知覚するＤＲは、ＨＤＲに関連して幾分切り詰められる。本明細書で使用されたとき、用語「ビジュアルダイナミックレンジ」又は「可変ダイナミックレンジ（ＶＤＲ）」は、ＨＶＳにより同時に知覚可能なＤＲに個別に又は交換可能に関連する。本明細書で使用されるとき、ＶＤＲは、５〜６のオーダの大きさに及ぶＤＲに関する。従って、ｓｃｅｎｅ−ｒｅｆｅｒｒｅｄなＨＤＲに関連して恐らく幾分狭いが、ＶＤＲは、それにも係わらず広いＤＲの幅を表す。本明細書で使用されたとき、用語「同時のダイナミックレンジ」は、ＶＤＲに関連する。
【０００５】
かなり最近まで、ディスプレイは、ＨＤＲ又はＶＤＲよりも著しく狭いＤＲを有している。典型的に陰極線管（ＣＲＴ）、及び不変の蛍光灯の白色バックライト又はプラズマスクリーン技術を液晶ディスプレイ（ＬＣＤ）を使用するテレビジョン（ＴＶ）及びコンピュータモニタ装置は、それらのＤＲレンダリング機能において近似的に３のオーダの大きさに制約される。係る従来のディスプレイは、ＶＤＲ及びＨＤＲに関して、「ロウダイナミックレンジ」又は「ＬＤＲ」と呼ばれることがある、標準的なダイナミックレンジ（ＳＤＲ）を具現する。本明細書で使用されるとき、用語「スタンダードダイナミックレンジ」及び「ロウダイナミックレンジ」及び／又はそれら対応する略記「ＳＤＲ」及び「ＬＤＲ」は、同意語及び／又は交換可能に使用される。
【０００６】
それらの基礎となる技術における利点は、より現代的なディスプレイが現代的でないディスプレイでレンダリングされるときと、同じコンテンツを通して様々な品質の特性における大幅な改善により画像及び映像コンテンツをレンダリングすることを可能にする。例えば、より現代的なディスプレイ装置は、高精度（ＨＤ）コンテンツ及び／又はイメージスケーラのような様々な表示機能に従ってスケーリングされるコンテンツをレンダリング可能である。さらに、幾つかの現代的なディスプレイは、従来又は標準的なディスプレイのＳＤＲよりも高いＤＲをもつコンテンツをレンダリング可能である。
【０００７】
例えば、幾つかの現代的なＬＣＤディスプレイは、発光ダイオード（ＬＥＤ）アレイを有するバックライトユニット（ＢＬＵ）を有する。ＢＬＵのＬＥＤは、能動ＬＥＤエレメントの分極状態の変調から個別に変調される。この二重の変調アプローチは、ＢＬＵアレイとＬＣＤスクリーンエレメントとの間の制御可能な介在層によるような、（たとえなＮを２を超える整数としてＮ変調層に）拡大可能である。それらのＬＥＤアレイに基づくＢＬＵ及び二重（又はＮ重）変調は、係る特徴を有するＬＣＤモニタのｄｉｓｐｌａｙ−ｒｅｆｅｒｒｅｄ  ＤＲを効果的に増加する。
【０００８】
従来のＳＤＲディスプレイに関して、しばしば呼ばれる係る「ＨＤＲディスプレイ」及びそれらが可能なＤＲ拡大は、画像、映像コンテンツ及び他の視覚情報を表示する能力において大幅な進歩を表す。係るＨＤＲディスプレイがレンダリングするカラーギャマットは、ワイドカラーギャマット（ＷＣＧ）をレンダリング可能なポイントにまで、より従来のディスプレイのカラーギャマットを大幅に超える場合がある。「次世代」映画及びＴＶカメラにより生成されるような、シーンに関連するＨＤＲ又はＶＤＲ及びＷＣＧ画像コンテンツは、（以下、「ＨＤＲディスプレイ」と呼ばれる）「ＨＤＲ」ディスプレイで正確且つ効果的に表示される。本明細書で使用されたとき、第一のカラーギャマットが第二のカラーギャマット「よりも大きい」旨の提示は、第二のカラーギャマットよりも広く、深く又は大きなビット深度を有する第一のカラーギャマットに関する。本明細書で使用されるとき、第二のカラーギャマットが第一のカラーギャマット「よりも小さい」旨の提示は、第一のカラーギャマットよりも狭く、浅く、低く又は少ないビット深度を有する第二のカラーギャマットに関する。
【０００９】
ＳＶＣ及びＨＤＴＶ技術のように、画像のＤＲを拡大することは、分岐したアプローチを典型的に含む。例えば、現代的なＨＤＲ対応カメラで捕捉されたｓｃｅｎｅ−ｒｅｆｅｒｒｅｄなＨＤＲコンテンツは、従来のＳＤＴディスプレイで表示されるコンテンツＳＤＲバージョンを生成するために使用される。捕捉されたＨＤＲバージョンからＳＤＲバージョンを生成することは、グローバルトーンマッピング演算子（ＴＭＯ）をＨＤＲコンテンツにおける（例えば輝度、ルマといった）強度に関連した画素値に適用することを含む。帯域幅を節約するため又は他の考慮のため、実際に捕捉されたＨＤＲコンテンツの送信は、最良のアプローチではない場合がある。
【００１０】
従って、オリジナルＴＭＯに関して逆転された、グローバル逆トーンマッピング演算子（ｉＴＭＯ）は、生成されたＳＤＲコンテンツに適用され、ＨＤＲコンテンツのバージョンが予測されるのを可能にする。予測されたＨＤＲコンテンツバージョンは、オリジナルで捕捉されたＨＤＲコンテンツに比較される。例えば、オリジナルＨＤＲバージョンから予測されたＨＤＲバージョンを引くことで、残差画像が生成される。エンコーダは、ベースレイヤ（ＢＬ）として生成されたＳＤＲコンテンツを送出し、エンハンスメントレイヤ（ＥＬ）として生成されたＳＤＲコンテンツバージョン、残差画像、及び他の予測子をパッケージングする。
【００１１】
ＥＬを、そのＳＤＲコンテンツ、残差及び予測子と共にビットストリームで送出することは、典型的に、ビットストリームでダイレクトにＨＤＲコンテンツの送出において消費されるよりも少ない帯域幅を消費する。エンコーダにより送出されたビットストリームを受信する互換性のあるデコーダは、従来のディスプレイでＳＤＲをデコード及びレンダリングする。しかし、互換性のあるデコーダは、残差画像及びｉＴＭＯ予測子を使用して、より有能なディスプレイでＨＤＲコンテンツの予測されたバージョンを計算する。それは、帯域幅の節約であり、２層のＢＬ／ＥＬアプローチを、（ＨＤＴＶ及びＳＤＣと同様に）ＨＤＲからＳＤＲへの変換、及びＳＤＲからＨＤＲへの変換を行うコーデックにおいて少なくとも部分的にユビキタスにする。
【発明の概要】
【課題を解決するための手段】
【００１２】
このセクションで記載されたアプローチは、追及されたアプローチであるが、必ずしも前に思いついた又は追及されたアプローチではない。従って、他に指定がない限り、このセクションで記載されたアプローチの何れかはこのセクションにおける包含の理由で単に従来技術として適格であると見なされるべきではない。同様に、１以上にアプローチに関して識別された問題は、特に指定がない限り、このセクションに基づいて従来技術において認識されているように見なされるべきではない。
【００１３】
本明細書では画像のダイナミックレンジを拡大することが記載される。以下の記載では、説明のために、本発明の完全な理解を提供するため、様々な特定の詳細が説明される。これらの特定の詳細なしに本発明が実施される場合があることは明らかである。他の例では、公知の構造及び装置は、本発明を不要に閉塞するか、不明瞭にするか又は曖昧にすることを回避するため、詳細に記載されない。
【００１４】
本明細書で記載される例示的な実施の形態は、画像のダイナミックレンジを拡大することに関する。実施の形態は、第一のダイナミックレンジに関連する第一のカラーギャマットをもつ第一の色空間で表現される入力ビデオ信号を、第二のカラーギャマットをもつ第二の色空間で表現されるビデオ信号に変換する。第二の色空間は、第二のダイナミックレンジと関連される。変換されたビデオ信号の少なくとも２色（例えば３色）に関連する成分は、第二のダイナミックレンジを通してマッピングされる。
【図面の簡単な説明】
【００１５】
本発明の実施の形態は、参照符号が類似のエレメントを示す添付図面において、限定されることなしに例示される。
【図１】本発明の実施の形態に係る例示的なプロセスのフローチャートを示す。
【図２】本発明の実施の形態に係るＳＤＲコンテンツバージョンとＶＤＲコンテンツバージ    ョンとの間の例示的なマッピングを示す図である。
【図３Ａ】本発明の実施の形態に係る例示的なＶＤＲアーキテクチャを示す図である。
【図３Ｂ】本発明の実施の形態に係る例示的なＶＤＲアーキテクチャを示す図である。
【図４】本発明の実施の形態に係る例示的なＳＤＲフィルタリング及びマッピングフローを示す図である。
【図５Ａ】本発明の実施の形態に係る例示的な計算されたパラメータ化された多項式    曲線を示す図である。
【図５Ｂ】本発明の実施の形態に係る例示的な可逆的なマッピングを示す図である。
【図５Ｃ】本発明の実施の形態に係る例示的なプロセスのフローチャートである。
【図６】本発明の実施の形態に係る例示的な正規化プロセスを示す図である。
【図７Ａ】本発明の実施の形態に係る正規化の例を示す図である。
【図７Ｂ】本発明の実施の形態に係る正規化の例を示す図である。
【図８Ａ】本発明の実施の形態に係る例示的なコーデックを示す図である。
【図８Ｂ】本発明の実施の形態に係る例示的なコーデックを示す図である。
【図９Ａ】本発明の実施の形態に係る例示的なシグナルフローを示す図である。
【図９Ｂ】本発明の実施の形態に係る例示的なシグナルフローを示す図である。
【図１０】本発明の実施の形態に係るマッチングされたエンコーダ／デコーダのペア    を示す図である。
【図１１】本発明の実施の形態に係る例示的な拡大を示す図である。
【図１２】本発明の実施の形態に係る例示的なＱＰ制御を示す図である。
【図１３】本発明の実施の形態に係る例示的な画像データパケットを示す図である。
【図１４】本発明の実施の形態に係る例示的な復号化されたシグナルアプリケーショ    ンを示す図である。
【図１５】本発明の実施の形態に係る例示的なカラーギャマットを示す図である。
【図１６】本発明の実施の形態が実施される例示的なコンピュータシステムプラット    フォームを示す図である。
【図１７】本発明の実施の形態が実施される例示的な装置を示す図である。
【発明を実施するための形態】
【００１６】
［例示的なプロセス］
本実施の形態は、画像のダイナミックレンジを拡大するプロセスに関する。図１は、本発明の実施の形態に係る、例示的なプロセス１００のフローチャートである。実施の形態は、第一のダイナミックレンジに関連する第一のカラーギャマットをもつ第一の色空間で表現される入力ビデオ信号を、第二のカラーギャマットをもつ第二の色空間で表現されるビデオ信号に変換する（１０１）。第二の色空間は、第二のダイナミックレンジと関連される。変換されたビデオ信号の少なくとも２色に関連する成分は、第二のダイナミックレンジを通してマッピングされる（１０２）。
【００１７】
第二のダイナミックレンジは、第一のダイナミックレンジよりも広い（例えば幅が広い範囲、又は深い範囲に及ぶ）。ビデオ信号に関して、イントラフレームに基づいて、第二のダイナミックレンジは、通常の人間の視覚系（ＨＶＳ）により同時に知覚可能な色及び／又は強度の範囲に及ぶか又は近似する。この意味で本明細書で使用されたとき、用語「通常“ｎｏｒｍａｌ”」は、統計的、精神測定的、生体測定的又は眼科学的な意味、診断、評価、結論又は推論のうちの１以上に関連する。
【００１８】
第一のダイナミックレンジは、１以上の標準的（又は「ロウ“ｌｏｗ”」）なダイナミックレンジ（ＳＤＲ又は「ＬＤＲ」）のモニタ又はディスプレイ、陰極線管（ＣＲＴ）モニタ又はディスプレイ、又は例えば非変調固体白色ＢＬＵをもつ従来のＬＣＤでレンダリング可能な色及び／又は強度の範囲に及ぶか又は近似する。（第二の色空間の）第二のカラーギャマットは、（第一の色空間の）第一のカラーギャマットよりも大きい。
【００１９】
変換及びマッピングに基づいて、１以上の入力ビデオ信号、入力ビデオ信号で表現されるか、送信されるか、記憶されるか又はレンダリングされるか画像又は複数の画像フレーム、又は第一のダイナミックレンジは、１以上の変換されたビデオ信号、第二のダイナミックレンジで表現されたか、送信されたか、記憶されたか又はレンダリングされた変換された画像又は複数の変換された画像フレームに変換される（１０３）。
【００２０】
第一の色空間及び／又は第二の色空間は、「赤／緑／青」（ＲＧＢ）色空間を有する。ＲＧＢ色空間は、３色に関連する成分を有する。色に関連する成分は、赤の成分、緑の成分及び青の成分を有する。マッピングステップは、変換されたビデオ信号の３色に関連する成分を第二のダイナミックレンジを通してマッピングすることを含む。第一の色空間は、ＩＴＵ（Ｉｎｔｅｒｎａｔｉｏｎａｌ  Ｔｅｌｅｃｏｍｍｕｎｉｃａｔｉｏｎ  Ｕｎｉｏｎ）のＢＴ．７０９勧告の規格に関連するＲＧＢ色空間に実質的に準拠する。第二の色空間は、ＡＭＰＡＳ（Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ）のＡＣＥＳ（Ａｃａｄｅｍｙ  Ｃｏｌｏｒ  Ｅｎｃｏｄｉｎｇ  Ｓｐｅｃｉｆｉｃａｔｉｏｎ）規格、ＤＣＩ（Ｄｉｇｉｔａｌ  Ｃｉｎｅｍａ  Ｉｎｉｔｉａｔｉｖｅ）の（例えばＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）リファレンス：Ｒｐ４３１−２−２００７；Ｅｇ４３２−１−２００７といった）Ｐ３色空間規格、又はＲＩＭＭ／ＲＯＭＭ（Ｒｅｆｅｒｅｎｃｅ  Ｉｎｐｕｔ  Ｍｅｄｉｕｍ  Ｍｅｔｒｉｃ／Ｒｅｆｅｒｅｎｃｅ  Ｏｕｔｐｕｔ  Ｍｅｄｉｕｍ  Ｍｅｔｒｉｃ）規格に関連するＲＧＢ色空間の少なくとも１つに実質的に準拠する。
【００２１】
マッピングステップは、変換された入力ビデオ信号の少なくとも２色に関連する成分にグローバルトーンマッピング処理を施すことを含む。マッピングステップは、変換されたビデオ信号の３色に関連する成分にグローバルＴＭＯを施すことを含む。
【００２２】
実施の形態は、変換された入力ビデオ信号の少なくとも２色（例えば３色）に関連する成分のそれぞれと関連する飽和レベル１０４を維持する。飽和レベルの維持は、第二のダイナミックレンジを通して入力ビデオ信号に関連する強度値をマッピングすることを含む。強度値は、変換されたビデオ信号のルマ又は輝度に関連した特性を含む。
【００２３】
強度値は、第一のゲイン設定に従ってスケーリングされる。第一のゲイン設定は、変換されたビデオ信号の少なくとも２色（例えば３色）に関連する成分の色、色度又はクロマに関連する特性に関連する値に関して、１０％と２０％の間の値を有する。実施の形態では、第一のゲイン設定の値は、変換されたビデオ信号の少なくとも２色（例えば３色）に関連する成分の色、クロマ又は色度の特性に関連する値に関して、１５％に等しいか又は近似する。
【００２４】
実施の形態では、マッピングステップは、第一のダイナミックレンジ及び色空間、並びに第二のダイナミックレンジ及び色空間に関して可逆である。マッピングは、第一のダイナミックレンジをもつビデオ信号でシーンが符号化される第一の画像を、第二のダイナミックレンジでシーンがレンダリング及び表示可能である第二の画像で正規化することを含む。マッピングステップは、無損失に可逆である。変換ステップ及び／又はマッピングステップは、３×３アレイのような１以上の複数のマトリクスを連結するか、ＴＭＯ（相補的又は補助的であるｉＴＭＯで無損失に可逆であるか、類似のやり方でＴＭＯに対応する）のような複数の可逆的な非線形マッピングを連結することを含む。付加的又は代替的な実施の形態では、変換ステップ及び／又はマッピングステップは、非線形マッピングと同様に、又は非線形マッピングの代わりに、線形マッピングを連結することを含む。
【００２５】
変換されたビデオ信号は、高精度のＶＤＲバージョンのコンテンツを含む。入力ビデオ信号は、低精度のＳＤＲバージョンのコンテンツを含む。マッピングステップは、高精度のＳＤＲバージョンのコンテンツを推定することを含む。推定するステップは、高精度のＳＤＲバージョンのコンテンツの反復的な一連の推定を生成することを含む。生成するステップは、高精度のＳＤＲバージョンのコンテンツ及び／又はマッピングを反復的に更新することを含む。マッピングは、高精度のＶＤＲバージョンのコンテンツと低精度のＶＤＲバージョンのコンテンツ又は高精度のＳＤＲバージョンのコンテンツとの間のレイヤ間のマッピングを含む。
【００２６】
高精度のＶＤＲコンテンツ及び／又は高精度のＳＤＲコンテンツのバージョンは、第一のビットの精度の範囲を含む。第一のビットの精度の範囲は、少なくとも１２ビット、１２ビットと１４ビットを含めて１２ビットと１４ビットとの間、又は１４ビット以上のビット範囲を含む。低精度のＳＤＲコンテンツのバージョンは、第二のビット精度の範囲を含む。第二のビット精度の範囲は、１０ビット、１０ビット未満、又は第一のビットの精度未満であるビット精度のビットの範囲を含む。
【００２７】
マッピングステップは、ブラインド計算及び／又はインフォームド計算で先行される。ブラインド計算は、ＳＤＲコンテンツバージョンをフィルタリングすることを含む。ＳＤＲコンテンツバージョンのフィルタリングは、ビデオコンテンツの画像の１以上の平滑な領域において知覚可能な１以上の輪郭のアーチファクトを除去することを含む。実施の形態は、ＳＤＲコンテンツバージョンに双方向フィルタを使用する。インフォームド計算は、高精度のＳＤＲコンテンツのバージョンの推定を含む。高精度のＳＤＲのコンテンツのバージョンを推定することは、繰返し計算を含む。繰返し計算は、高精度ＳＤＲ及びマッピングを繰返し更新することを含み、マッピングは、レイヤ間のマッピングを含む。
【００２８】
本発明の実施の形態は、ベースレイヤ／エンハンスメントレイヤのアプローチの両者を除き、画像のダイナミックレンジの拡大における（画素の輝度又はルマのような）画像の強度値に基づくグローバルトーンマッピング演算子又は他の予測子の使用を除く。プロセス１００は、ＳＤＲコンテンツのバージョンのＶＤＲバージョンへのマッピングを含む。
【００２９】
［例示的なＳＤＲ−ＶＤＲマッピング］
図２は、本発明の実施の形態に係る、ＳＤＲコンテンツバージョンとＶＤＲコンテンツバージョンとの間の例示的なマッピング２００を示す。ＳＤＲコンテンツバージョンを含むビデオ信号は、コンバータ２０１に入力される。コンバータ２０１は、異なる色空間の間で入力のＳＤＲコンテンツバージョンを変換する。例えば、入力色空間及び変換色空間は、ＲＧＢ色空間を共に有しており、ＲＧＢ色空間は、３色に関連する成分である赤成分、緑成分及び青成分を有する。入力色空間は、ＩＴＵ  ＢＴ．７０９と関連するＲＧＢ色空間に実質的に準拠する。変換色空間は、ＡＭＰＡＳ‘ＡＣＥＳ’色空間規格、ＤＣＩ‘Ｐ３’色空間規格、又はＲＩＭＭ／ＲＯＭＭ色空間規格に関連する少なくともＲＧＢ色空間に実質的に準拠する。
【００３０】
実施の形態では、ＳＤＲ−ＶＤＲマッピングは、色関連成分のそれぞれに施される。従って、赤成分２０２、緑成分２０３及び青成分２０４は、ＶＤＲコンテンツバージョンにマッピングされる。
【００３１】
実施の形態は、変換された入力ビデオ信号の色に関連する成分と関連する飽和レベルを維持する。飽和レベルの維持は、入力ビデオ信号に関連する強度値を第二のダイナミックレンジにマッピングすることを含む（２０５）。強度値は、変換されたビデオ信号のルマ又は輝度に関連する特性を有する。強度値は、第一のゲイン設定２０８‘α’に従ってスケーリングされる。
【００３２】
第一のゲイン設定２０８は、変換されたビデオ信号の少なくとも２色（例えば３色）に関連する成分の色、色度又はクロマに関連する特性に関連する値に関して１０％と２０％との間の値を有する。実施の形態では、第一のゲイン設定２０８の値は、変換されたビデオ信号の少なくとも２色（例えば３色）に関連する成分の色、クロマ又は色度の特性に関連する値に関して、１５％に等しいか又は近似する。ゲイン設定２０８は、変換されたビデオ信号の少なくとも２色（例えば３色）に関連する成分の色、色度又はクロマに関連する特性に関連する値に関して別の値（例えば１％から１００％に及ぶ）を有する場合がある。
【００３３】
赤成分のマッピング２０２、緑成分のマッピング２０３及び青成分のマッピング２０４は、（１−α）のゲイン設定に従ってスケーリングされる。スケーリングされた色成分のマッピング及びスケーリングされた飽和維持の強度値は合計され（２０９）、高精度の色空間情報（例えばＡＣＥＳ及び／又はＰ３）をもつＶＤＲコンテンツバージョンを生成する。
【００３４】
［例示的なアーキテクチャ］
図３Ａ及び図３Ｂは、本発明の実施の形態に係る、例示的なＶＤＲアーキテクチャ３００を示す。ＶＤＲアーキテクチャ３００は、エンコーダ３１０及びデコーダ３２０を含む。エンコーダ３１０は、ＳＤＲフィルタリング及びマッピング分析３１１及びエンコーダモジュール３１２を含む。ＳＤＲフィルタリング及びマッピング分析３１１は、（例えばＡＣＥＳ及び／又はＰ３といった）広いカラーギャマットの色空間情報と、例えば１０ビット以下のビット深度をもつＳＤＲコンテンツを含む入力を受信する。ＳＤＲコンテンツは、比較的小さいギャマットの色空間情報（例えばＩＴＵ  ＢＴ．７０９）を有する。ＳＤＲフィルタリング及びマッピング分析３１１は、中間出力をエンコーダモジュール３１２に供給する。
【００３５】
中間出力は、標準的な（「ロウ」）ＤＲ（ＳＤＲ又は「ＬＤＲ」）、拡大されたＤＲ（ＶＤＲ）、及び高精度（例えば１４ビットのビット深度）のバージョンのＳＤＲコンテンツの間のマッピングを含む。ＳＤＲフィルタリング及びマッピング分析３１１の中間出力から、エンコーダモジュール３１２は、エクスポートの出力を生成し、この出力は、（例えばＭＰＥＧ−４／Ｈ．２６４／ＡＶＣと実質的に互換性がある）互換性のあるＡＶＣ（Ａｄｖａｎｃｅｄ  Ｖｉｄｅｏ  Ｃｏｄｅｃ）ビットストリーム、ＳＤＲフィルタリング及びマッピング分析３１１及びエンコーダモジュール３１２を通して実行されたマッピング及び／又は変更に関連するメタデータを含む。
【００３６】
デコーダ３２０は、デコーダモジュール３２１及びマッピング及び変換モジュール３２２を含む。デコーダモジュール３２１は、互換性があるＡＶＣビットストリームと、（例えばエンコーダ３１０である）ＳＤＲ−ＶＤＲエンコーダでＡＶＣコンパチブルビットストリームのコンテンツに施されたマッピング及び／又は変更に関連するメタデータを含む入力を受信する。デコーダモジュール３２１は、ＡＶＣコンパチブルビットストリームコンテンツをデコードし、メタデータ入力と共に、マッピング及び変換モジュール３２２に中間出力を供給する。
【００３７】
中間出力は、ＳＤＲコンテンツとＶＤＲコンテンツとの間のマッピング、及びＳＤＲコンテンツの高精度（例えば１４ビットのビット深度）バージョンを含む。マッピング及び変換モジュール３２２は、中間出力を処理し、‘ＬｏｇＬｕｖ’（ＬｏｇＬｕ’ｖ’のような）付加的又は代替的な色空間、又はＶＤＲ又はＨＤＲコンテンツに関連される他の高精度色空間において高精度の色空間情報を有するＶＤＲコンテンツバージョンを生成する。
【００３８】
［例示的なフィルタリング及びマッピングフロー］
階層化されたＢＬ／ＥＬアーキテクチャは、有意な関連するビットコストを有する、本質的に絶対の忠実度で、ＳＤＲコンテンツ及びＶＤＲコンテンツの両者を符号化することを典型的に狙いとしている。対照的に、本発明の実施の形態は、ある意味で絶対的な忠実度を効果的になしで済ませる。しかし、実施の形態は、最新式且つ即座に予測できるＶＤＲ／ＨＤＲ対応ディスプレイで知覚的に適切な忠実度を達成する。例えばある画像又は映像における（例えば仮説に基づいた）光特性が１平方メートル当たり１２００カンデラ（Ｃｄ／ｍ２又はｎｉｔｓ）の絶対強度（例えば明るさ、輝度、ルマ、明度）を有する場合、実施の形態は、１１００ｎｉｔｓでＶＤＲ／ＨＤＲディスプレイの光特性をレンダリングする。通常のビューアにとって、光特性は、非常に明るい光として見え。ディスプレイのＨＤＲ機能の影響が維持される。このように、実施の形態は、高精度のＳＤＲ画像への所定の変更の程度の許容範囲の釣り合いを取り、２つの間のグローバルマッピングを効果的に達成する、例えば逆マッピングからのＶＤＲにおけるある種の欠陥を可能にする。
【００３９】
図４は、本発明の実施の形態に係る、例示的なＳＤＲフィルタリング及びマッピングフロー４００を示す。フィルタ情報モジュール４０１は、ＶＤＲ入力を受信し、このＶＤＲ入力は、ワイドギャマット（例えばＡＣＥＳ，Ｐ３）の色空間において（例えばＳＤＲに関連するカラーギャマットに関して）比較的高い精度のＲＧＢ情報で符号化される。フィルタ情報モジュール４０１は、そのＶＤＲ／高精度のＲＧＢ入力で施されたフィルタリングプロセスに関する情報を除き、高精度のＶＤＲ’／ＲＧＢ情報を逆マッピングモジュール４０５に供給する。
【００４０】
線形色空間変換モジュール４０２は、ＳＤＲ入力（例えば１０ビット）を受信し、このＳＤＲ入力は、標準ギャマット（例えばＩＴＵ  ＢＴ．７０９）色空間で表現される（例えばＶＤＲに関連するカラーギャマットに関して）比較的低い精度のＲＧＢ情報で符号化される。線形色空間変換モジュール４０２は、ＳＤＲを処理し、標準ギャマットの色成分を、ＡＣＥＳ又はＰ３色空間のような比較的ワイドなギャマットのＲＧＢ色空間に変換する。線形色空間変換モジュール４０２の出力は、情報加算モジュール４０３への入力を提供する。
【００４１】
情報加算モジュール４０３は、そのＳＤＲ入力を処理し、（例えばトーンに関連する）更なる情報を加算し、ワイドギャマットのＲＧＢ色空間において高精度（例えば１４ビット）のＳＤＲ’を出力する。
【００４２】
逆マッピングモジュール４０５は、フィルタ情報モジュール４０１及び情報加算モジュール４０３からの入力を処理し、ＳＤＲコンテンツバージョンからＶＤＲコンテンツバージョンへのマッピングを生成する。逆マッピングモジュール４０５は、生成されたＳＤＲ−ＶＤＲマッピングを出力する。ワイドギャマットＲＧＢ色空間における高精度（例えば１４ビット）のＳＤＲ’は、線形色空間変換モジュール４０４に供給される。線形色空間変換モジュール４０４は、情報加算モジュール４０３の高精度のＳＤＲ’／ワイドギャマットＲＧＢ色空間出力を、（例えばＩＴＵ  ＢＴ．７０９といった）標準カラーギャマットをもつ高精度ＳＤＲ’に変換する。変換の実行に応じて、線形色空間変換モジュール４０４は、ＡＶＣコンパチブルビットストリームの成分として、（例えばＩＴＵ  ＢＴ．７０９といった）標準カラーギャマットをもつ高精度ＳＤＲ’を出力する。復号化されたとき、逆マッピングモジュール４０５で生成された出力ＳＤＲ−ＶＤＲマッピングは、ＳＤＲコンテンツバージョンからＶＤＲコンテンツバージョンへの変換をマッピングし、これにより何れか（又は両者）のコンテンツバージョンが表示されるのを可能にする。逆マッピングモジュール４０５で生成されたマッピングは、可逆的である。
【００４３】
図５Ｂは、本発明の実施の形態に係る、例示的な可逆的なマッピングを示す。可逆的なマッピングは、可逆的なマッピングモジュール４０５で生成されたマッピングを表す。ＶＤＲコンテンツバージョン５１１は、高精度のＳＤＲ’のコンテンツバージョン５２２にマッピングする。マッピングは、ＴＭＯ５１５を有する。逆マッピング演算５２５により、高精度のＳＤＲ’のコンテンツバージョン５２２は、ＶＤＲコンテンツバージョン５１１にマッピングする。逆マッピングは、ｉＴＭＯ５２５を有し、このｉＴＭＯは、ＴＭＯ５１５と相補的、補足的であるか、又はさもなければ逆転された対応関係である。高精度のＳＤＲ’５２２は、（例えば８ビットの）低精度のＳＤＲ５３５にフィルタリング（例えば生成）される。
【００４４】
従って、実施の形態は、高精度のＳＤＲのコンテンツバージョンで機能するが、これらのコンテンツバージョンは、入力ＳＤＲの「単なる」高精度バージョンを超える。代わりに、高精度のＳＤＲのコンテンツバージョンは、低精度度で復号化されたときに、入力の低精度度のＳＤＲと同様のやり方で見られるか又は知覚される。さらに、実施の形態は、フィルタ情報モジュール４０１への入力ＶＤＲ以外を含むＶＤＲコンテンツバージョンを符号化する。代わりに、実施の形態は、フィルタ情報モジュール４０１に入力されるＶＤＲの「概観“ｌｏｏｋ”」を同時に保持するが、高精度ＳＤＲ’との厳密に可逆の関係を維持するＶＤＲコンテンツを符号化する。従って、この意味で、フィルタ情報モジュール４０１で生成されたＶＤＲ’は、モジュール４０１へのＶＤＲコンテンツの入力を少なくとも厳密に近似する。情報加算モジュール４０３で生成された高精度のＳＤＲ’は、ある意味で、線形色空間変換器４０１に入力されるＳＤＲコンテンツよりも高い品質のＳＤＲのコンテンツバージョンである。これは、高精度のＳＤＲ’のコンテンツは、ある意味で、入力の１０ビットＳＤＲの最初の作成の間に不要に除去された情報を含むためである。
【００４５】
従って、実施の形態は、非線形マッピングによりダイナミックレンジを低減し、フィルムを本質的にエミュレートし、個々のＲ，Ｇ及びＢ成分（又は例えば３つの色成分のうちの２つ）をマッピングする。マッピングによって飽和及び／又は色相回転となる場合、実施の形態は、マッピングをスケーリングするか、及び／又は（例えば約１５％のファクタにより）強度に関連する飽和を維持するマッピングをスケーリングする。この特徴は、ＡＭＰＡＳのＩＩＦ（Ｉｍａｇｅ  Ｉｎｔｅｒｃｈａｎｇｅ  Ｆｒａｍｅｗｏｒｋ）ＲＲＴ（Ｒｅｆｅｒｅｎｃｅ  Ｒｅｎｄｅｒｉｎｇ  Ｔｒａｎｓｆｏｒｍ）で採用されるアプローチと一致する。従って、実施の形態は、フィルム、カメラの機能、人間の目の錐体及び／又はある程度一般的な色補正アプローチに類似した、物理的なＤＲの低減をエミュレートする。
【００４６】
実施の形態は、ＲＧＢ色成分に対してパラメータ化された多項式曲線（例えばＳ曲線）のような非線形伝達関数を課す。図５Ａは、本発明の実施の形態に係る、例示的な計算されたパラメータ化された多項式曲線５００を示す。曲線５００のボディは、垂直軸上の出力及び水平軸上の入力により、対数−対数プロット（例えば底１０）において近似的に一定の傾きγをもつ実質的に直線である。曲線５００の先端は、影又は暗い空間のような比較的低い値に対応する。曲線５００の肩は、ライト及びハイライトのような比較的高い値に対応する。実施の形態は、強度に関連するスケーリングファクタのような飽和の補正を適用し、飽和、色相及び／又は色合いの１以上に関連するシフトする色空間がシフトするのを防止する。付加的又は代替的な実施の形態は、例えば非線形伝達関数の代わりに、線形伝達関数をＲＧＢ色成分に課す。
【００４７】
実施の形態におけるマッピングの複雑度に関する下限は、非線形の原色の補正の近似又は変換ＮＬｘと、マトリクスに基づく二次色補正の近似又は変換Ｍｔｘとの積により拘束される。実施の形態は、第一のマトリクスに基づく二次色の補正の近似又は変換Ｍｔｘ、非線形の原色の補正の近似又は変換ＮＬｘ、及び第二のマトリクスに基づく二次色の補正の近似又は変換Ｍｔｘ’の積ＭＮＭ＝Ｍｔｘ・ＮＬｘ・Ｍｔｘ’に対応するある程度一般的な‘ＭＮＭ’マッピングを使用する。付加的な又は代替的な実施の形態では、マッピングの複雑度に関する下限は、例えば非線形の原色の補正の近似又は変換と同様に又は代わりに、線形の原色の補正の近似又は変換ＮＬｘと、マトリクスに基づく二次色の補正の近似又は変換ＮＬｘとの積により拘束される。
【００４８】
実施の形態は、同時に知覚可能なＶＤＲの基本的な考えに一致する、順応レベルに正規化される知覚のメトリックに従って本質的に機能する。例えば、信号対雑音比（ＳＮＲ）の知覚のメトリックは、ピーク信号対雑音比（ＰＳＮＲ）知覚のメトリックと共に又は代替的として使用される。実施の形態は、計算されたまさに知覚可能な差（ＪＮＤ：  Ｊｕｓｔ  Ｎｏｔｉｃｅａｂｌｅ
Ｄｉｆｆｅｒｅｎｃｅ）のような実際に（例えばかろうじて）目に見えるものと、知覚可能な又は意義のあるものとを区別する。明るい画像又はフレーム領域に現れるエラーは、暗い画像又はフレーム領域に現れるエラーよりも知覚可能であるように見える。実施の形態は、符号化の間に３つのメトリクスのうちの１以上又は全部を使用する。（例えば２×１０４といった）制限されたＤＲに関するＰＳＮＲ、自己正規化（ｓｅｌｆ−ｎｏｒｍａｌｉｚｉｎｇ）ＳＮＲ、及び／又はトーンマッピングＳＳＩＭ（ＴＭ−ＳＳＩＭ）のようなＳＳＩＭ（Ｓｔｒｕｃｔｕｒａｌ  ＳＩＭｉｌａｒｉｔｙ  Ｉｎｄｅｘ）に基づく測定。
【００４９】
ＳＳＩＭは、（２つの信号間の平均平方誤差をのみを測定する）ＰＳＮＲアプローチとは対照的に、（１）強度の比較、（２）コントラストの比較及び（３）構造の比較という３つの個別のコンポーネントを含む。３つの個別の成分は、ＨＤＲ／ＶＤＲ信号における視覚的な差を良好に考慮する。さらに、ＳＳＩＭを計算することは、ＰＳＮＲアプローチよりもある程度複雑であるが、ＶＤＰ（Ｖｉｓｕａｌ  Ｄｉｆｆｅｒｅｎｃｅ  Ｐｒｅｄｉｃｔｏｒ）又はＪＮＤのようなＨＶＳに基づくメトリクスを超える効率を達成する。
【００５０】
実施の形態は、ある態様において入力ＶＤＲとは異なるが、高精度／ＷＣＧ  ＳＤＲコンテンツをもつ可逆の関係を同時に維持するとき、入力ＶＤＲの「概観」を保持するＶＤＲ’コンテンツをエンコードする。従って、ＶＤＲ’は、前の例の意味で、ＶＤＲに「近い」。さらに、ＳＤＲ’は、ある意味で、少なくとも、入力の１０ビットＳＤＲの最初の作成の間に不必要に除去された情報を搬送するという意味で、「良好な」ＳＤＲのバージョンである。
【００５１】
図５Ｃは、本発明の実施の形態に係る、例示的なプロセス５０のフローチャートを示す。プロセス５０は、変更されたＶＤＲコンテンツに関して正規化された高精度ＳＤＲ’を合成する。ステップ５１で、（例えばＡＣＥＳ又はＰ３のような拡大された色空間におけるＲＧＢといった）ＶＤＲ及び（例えばその最初のＢＴ−７０９色空間から変換された拡大された色空間におけるＲＧＢ）ＳＤＲが入力される。ステップ５２で、ＶＤＲ’は、ＶＤＲと同じと考えられ、ＳＤＲ’は、ＳＤＲと同じと考えられる。ステップ５３で、可逆マッピングＭ［］が推定される。ステップ５４で、推定された可逆マッピングＭ［］が十分であるかが判定される。十分であると判定された場合、ステップ５５で、（例えば拡大された色空間におけるＲＧＢといった）ＶＤＲ’、（例えば拡大された色空間における高精度のＲＧＢといった）ＳＤＲ’、及び推定された可逆のマッピングＭ［］が出力される。十分であると判定されない場合、ステップ５６で、１以上の推定された可逆マッピングＭ［］、ＶＤＲ’及び／又はＳＤＲ’が変更される。推定された可逆マッピングＭ［］、ＶＤＲ’及び／又はＳＤＲ’の変更に応じて、プロセス５０は、ステップ５１に反復的に進み、繰り返す。
【００５２】
図６は、本発明の実施の形態に係る、例示的な正規化処理６００を示す。正規化モジュール６０５は、１０ビットの低精度ＳＤＲの入力及び１２ビットのＶＤＲの入力を受信する。正規化モジュール６０５は、１２ビットのＶＤＲ’を出力し、この出力は、可逆のマッピングＭ［］により高精度の１２＋ｂｉｔｓのＳＤＲ’バージョンにマッピングされる。実施の形態では、正規化は、入力のＶＤＲの前処理技術を有し、この前処理技術は、少なくとも２つの機能のうちの１以上を実行する。はじめに、正規化は、可逆的なマッピングを提供する。実施の形態では、可逆的なトーンマッピングは、Ｓ形状の多項式７１２及び７２２（例えば及び／又は図５の曲線５００）のようなパラメータ化された多項式曲線に実質的に準拠する。実施の形態では、可逆のトーンマッピングは、複数のパラメータ化された多項式曲線のセットの１以上に準拠する。
【００５３】
図７Ａは、本発明の実施の形態に従って、フォワードマッピングにおいて実行されるクリッピングがなされていないマッピングの反転の例を示す。トーンマッピング７１１は、ＶＤＲ信号のハードクリッピングを提供するマッピング予測子Ｍ［］で示される。図７Ａ（及び例えば図７Ｂ）では、水平方向軸は、ＶＤＲ値を表し、垂直方向軸は、ＳＤＲ値を表す。フォワードマッピングＭ［］は、ＳＤＲ’＝Ｍ［ＶＤＲ］であるようにＶＤＲに作用する。トーンマッピング７１２は、ＶＤＲ信号のソフトクリッピングで示される。ソフトクリッピングは、高精度ＳＤＲ’に情報を加え、ある意味で、対応するＶＤＲバージョンに幾分類似させるやり方でＳＤＲ’信号をレンダリングし、従って改善を表す。しかし、結果として得られるＳＤＲ’信号が高精度のビット深度（例えば１４ビット）を有するが、ＳＤＲ’信号は、低精度のビット深度（例えば８ビット）を有するＳＤＲコンテンツに対してほとんど知覚できない改善を示す。
【００５４】
第二に、正規化は、ＳＤＲコンテンツバージョン及びＶＤＲコンテンツバージョンをグローバルマッピングに一致させ、これにより局所的な変動が効果的に除去される。図７Ｂは、本発明の実施の形態に係る、グローバルトーンマッピング７２０の例を示す。実施の形態は、複数のトーンマップのセットの１以上を選択する。トーンマップ７２１は、複数のトーンマップを示し、１つのトーンマップは、ローカルトーンマッピングを例示する異なる領域にそれぞれ対応する。実施の形態では、選択は、ＳＤＲバージョンとＳＤＲ’バージョンとの間、又はＶＤＲ’バージョンとＶＤＲバージョンとの間といった、可逆のトーンマップのどのマップが最小の変更につながるかに基づいている。最も適した可逆のトーンマップの選択に応じて、ＳＤＲ’及び／又はＶＤＲ’のコンテンツバージョンが変更される。単一のトーンマップ７２２は、局所的な空間の変動を考慮して選択される。
【００５５】
第三に、正規化は、低精度のＳＤＲ入力信号の量子化を処理する。実施の形態では、ＶＤＲコンテンツバージョン及びＳＤＲコンテンツバージョンは、正規化されたペアを有する。実施の形態の正規化されたペアリング及び／又はマッピングの可逆性は、ＡＭＰＡＳのパイプラインに関連する、ＩＩＦのような仕様に実質的に準拠する。実施の形態では、ＶＤＲ’のコンテンツバージョン及び高精度のＳＤＲ’のコンテンツバージョンは、マトリクスのマッピング及び非線形のマッピングにより正規化される。
【００５６】
図８Ａ及び図８Ｂは、本発明の実施の形態に係る、例示的なコーデック８００を示す。プロダクションモジュール８１０では、コーデックは、正規化モジュール６０５及びエンコーダ３１２を備える。正規化モジュール６０５は、ＡＣＥＳ又はＰ３  ＲＧＢ色空間を有するＶＤＲのコンテンツバージョンと、ＢＴ−７０９  ＲＧＢ色空間を有する１０ビットのＳＤＲのコンテンツバージョンを処理する。これらの入力の処理に応じて、正規化モジュール６０５は、ＢＴ−７０９  ＲＧＢ色空間を有する１４ビットのＳＤＲ’のコンテンツバージョン、及び可逆的なＳＤＲ−ＶＤＲマッピングに関する情報をエンコーダ３１２に提供する。エンコーダ３１２は、ＢＴ−７０９  ＲＧＢ色空間をもつ１４ビットのＳＤＲ’のコンテンツバージョン、可逆的なＳＤＲ−ＶＤＲマッピングに関連する情報を処理し、ＳＤＲ及びＶＤＲコンテンツバージョンに関するマッピング及び変更に関連するメタデータのような情報と共に、ＡＶＣコンパチブルビットストリーム出力を生成する。
【００５７】
消費モード８２０において、コーデックは、デコーダ３２１及びソースディスプレイ管理モジュール８２２を有する。デコーダ３２１は、例えばプロダクションモード８１０において実行されたＳＤＲ及びＶＤＲに関するマッピング及び変更に関するメタデータのような情報と共に、ＡＶＣコンパチブルビットストリームの入力を受信する。デコーダ３２１は、入力信号を処理し、ＢＴ−７０９  ＲＧＢ色空間を有する１４ビットのＳＤＲ’のコンテンツバージョン、及び可逆的なＳＤＲ−ＶＤＲマッピングに関する情報をソースディスプレイ管理モジュール８２２に供給する。ソースディスプレイ管理モジュール８２２は、ＢＴ−７０９  ＲＧＢ色空間をもつ１４ビットＳＤＲ’のコンテンツバージョン、及び可逆的なＳＤＲ−ＶＤＲマッピングに関連する情報を処理し、あるディスプレイについて変更のマッピングに関連する情報と共にＶＤＲコンテンツを含む出力信号を生成する。
【００５８】
図９Ａ及び図９Ｂは、本発明の実施の形態に係る、例示的なシグナルフロー９００を示す。図９Ａは、実施の形態に係る、例示的なメディアモードのシグナルフロー９１０を示す。正規化モジュール６０５は、ＶＤＲのコンテンツバージョン及び低ビットのＳＤＲのコンテンツバージョンを処理する。これらの入力の処理に応じて、正規化モジュール６０５は、高精度のＳＤＲ’のコンテンツバージョン、及び可逆的なＳＤＲ−ＶＤＲマッピングに関連する情報をエンコーダ３１２に供給する。エンコーダ３１２は、高精度のＳＤＲ’のコンテンツバージョン、及び（例えばＳＤＲ及びＶＤＲコンテンツバージョンに関するマッピング及び変更に関連するメタデータのような情報と共に）ＡＶＣコンパチブルビットストリーム出力を生成する。
【００５９】
例示的なメディアモードのシグナルフロー９１０において、ＡＶＣコンパチブルビットストリームは、Ｈ．２６４／ＡＶＣ  ＭＰＥＧ−４デコーダ９１５のようなＡＶＣ準拠デコーダに供給され、このデコーダは、ビットストリームを処理して、典型的に低精度のＳＤＲのコンテンツバージョンを出力する。さらに、例示的なメディアモードのシグナルフロー９１０では、ＡＶＣコンパチブルビットストリームは、デコーダ３２１に供給され、このデコーダは、ビットストリームを処理し、高精度のＳＤＲ’のコンテンツバージョン、及びＳＤＲ’のコンテンツバージョンとＶＤＲコンテンツバージョンとの間のマッピングのセットをソースディスプレイ管理モジュール９３５に出力する。ソースディスプレイ管理モジュール９３５は、ＶＤＲ対応ディスプレイでレンダリングされる、ディスプレイコンパチブルＶＤＲコンテンツバージョンを出力する。
【００６０】
図９Ｂは、実施の形態に係る、例示的なリアルタイム（例えばブロードキャスト）モードのシグナルフロー９２０を示す。入力信号は、カラーマネージメントモジュール（例えば色補正ツール）９２５に入力する。カラーマネージメントモジュール９２５は、ＶＤＲ入力を処理する。ＶＤＲ入力の処理に応じて、カラーマネージメントモジュール９２５は、高精度のＳＤＲ’コンテンツバージョン、及び可逆的なＳＤＲ−ＶＤＲマッピングに関連する情報をエンコーダ３１２に供給する。エンコーダ３１２は、高精度のＳＤＲ’のコンテンツバージョン及び可逆的なＳＤＲ−ＶＤＲマッピングに関連する情報を処理し、（例えばＳＤＲ及びＶＤＲコンテンツバージョンに関するマッピング及び変更に関連する、メタデータのような情報と共に）ＡＶＣコンパチブルビットストリームの出力を生成する。例示的なリアルタイム／ブロードキャストモードのシグナルフロー９２０において、ＡＶＣコンパチブルビットストリームは、Ｈ．２６４／ＡＶＣ  ＭＰＥＧ−４デコーダ９１５のようなＡＶＣ準拠デコーダに供給され、このデコーダは、ビットストリームを処理して、典型的に低精度のＳＤＲのコンテンツバージョンを出力する。さらに、実施の形態は、メディアモードのシグナルフロー９１０がデコードされたのと実質的に同じやり方でブロードキャストメディアフロー９２０を復号化する。実施の形態では、メディアモードのシグナルフロー９１０及びリアルタイムのブロードキャストフロー９２０の復号化プロセスは同じである。ＡＶＣコンパチブルビットストリームは、デコーダ３２１に供給され、このデコーダは、ビットストリームを処理し、高精度のＳＤＲ’のコンテンツバージョン、及びＳＤＲ’のコンテンツバージョンとＶＤＲのコンテンツバージョンとの間のマッピングのセットをソースディスプレイ管理モジュール９３５に出力する。ソースディスプレイ管理モジュール９３５は、ＶＤＲ対応ディスプレイでレンダリングされる、ディスプレイコンパチブルＶＤＲコンテンツバージョンを出力する。
【００６１】
図１０は、本発明の実施の形態に係る、整合されたエンコーダ／デコーダのペア１０００を示す。実施の形態では、エンコーダ３１２は、高精度符号化モジュール１０１１及びＡＶＣコンパチブル（例えば８ビット、高精度のＳＤＲ’コンテンツに関してある程度低精度であると考えられる意味でのビット深度）符号化モジュール１０１２の両者について、高精彩のＳＤＲ’コンテンツを含む入力信号を受信する。高精度符号化モジュール１０１１は、高精度のＳＤＲ’のコンテンツを符号化し、高精度のビットストリームを重要な相違点の判定モジュール１０１３に供給する。コンパチブル符号化モジュール１０１２は、デコーダ３２１へのエクスポート及び重要な相違点の判定モジュール１０１３への入力のため、ＡＶＣコンパチブル（例えば８ビット、比較的低い精度）符号化ビットストリーム供給する。
【００６２】
重要な相違点の判定モジュール１０１３は、高精度符号化モジュール１０１１からの高精度で符号化されたビットストリームと、ＡＶＣコンパチブル（例えば８ビット）符号化モジュール１０１２からのＡＶＣコンパチブル（例えば８ビット）符号化モジュール１０１２とを比較する。高精度の符号化ビットストリームとＡＶＣコンパチブル（例えば８ビット、比較的低い精度）符号化ビットストリームとの比較に応じて、重要な相違点の判定モジュール１０１３は、高精度の符号化ビットストリームとコンパチブル（例えば８ビット、比較的低い精度）符号化されたビットストリームとの間の差に関連するメタデータのような情報をデコーダ３２１に供給する。
【００６３】
実施の形態では、デコーダ３２１は、高精度符号化モジュール１０１１で符号化された高精度のビットストリームと、コンパチブル（例えば８ビット、比較的低い精度）符号化されたビットストリームとの間の差に関連する情報（例えばメタデータ）と共に、ＡＶＣコンパチブル（例えば８ビット）符号化ビットストリームをエンコーダ３１２から受信する。情報（例えばメタデータ）マージモジュール１０２４は、高精度ビットストリーム間の差に関連する情報を使用して、高精度ビットストリームと同じ情報を本質的に含むビットストリームを効果的に回復（例えば再現、再設定、再構成、再生成、再生）する。回復された高精度ビットストリームから、高精度復号化モジュール１０２５は、高精度ＳＤＲ’出力を生成する。例えば、デコーダ３２１の出力は、少なくとも４：２：０（強度及び色成分）サンプリングパターン又はサンプリングコンフィギュレーション及び少なくとも８ビットを超えるビット深度よりも大きいか又は等しい精度を有する。例示的な実施の形態は、デコーダ３２１の出力の強度／色のサンプリングパターン／コンフィギュレーションが、４：２：０，４：２：２又は４：４：４の精度を有するか、及び／又は１０−１４ビットのビット深度を有する。
【００６４】
実施の形態は、スケーラブルなビット深度で機能する。例えば、ビット深度は、８ビットと１２ビットプラス（例えば１２−１４ビット）との間でスケーラブルであるとして実現される。従って、実施の形態は、１以上の確立されたスケーラブルビデオコーディング（ＳＶＣ）又は関連する技術のアプローチを利用する。従って、ある意味では、実施の形態は、例えば様々なＳＶＣ及び関連又は類似のスケーラブルアプローチで効果的に機能するといった、「コーデックにとらわれない“ｃｏｄｅｃ  ａｇｎｏｓｔｉｃ”」として機能する傾向がある。本明細書で使用されたとき、用語「利用する“ｌｅｖｅｒａｇｅ”」は、係るアプローチの使用に関連する。
【００６５】
さらに、エンコーダ３１２は、コンパチブル８ビットストリーム及びメタデータを出力するとき、高精度の入力からのコンパチブルビットストリームの導出は、８ビットの量子化雑音を符号化するオーバヘッドを本質的に低減し、これは平滑な勾配を符号化することに特に役立つ。さらに、デコーダ３２１がメタデータをコンパチブル８ビット符号化ビットストリームとマージするとき、エンコーダ１０１１の高精度のビットストリームの出力に満足できる程度に近い、高精度のビットストリームを内部で回復する。実施の形態は、高精度のビットストリームを復号化して、高精度のＳＤＲ’を生成する。実施の形態は、逆マッピングＭ−１［］を使用して、ＳＤＲ’をマッピングして、ＶＤＲ対応ディスプレイでレンダリングされるＶＤＲ出力を生成する。
【００６６】
高精度符号化モジュール１０１１及び／又はエンコーダ３１２の他のコンポーネント又は高精度ＳＤＲ’エンコーダ機能を制御するため、実施の形態は、関連する信号がある場合とない場合があるが、関連する逆マッピングされたＶＤＲ空間における（例えば上述されたＴＭ−ＳＳＩＭ又は関連するアプローチにより）品質を評価する。実施の形態は、これらの関連するダイナミックレンジに関連して拡大された画像又はビデオのフレーム領域における計算された精度及び／又は正確さを増加する。例えば、逆マッピングは、精度／正確さを拡大させる。図１１は、本発明の実施の形態に係る、例示的な拡大１１００を示す。
【００６７】
実施の形態は、量子化パラメータ（ＱＰ）を制御する。例えば、ＱＰは、ダイナミックレンジの拡大を受ける画像又はフレーム領域に関して値において減少される。これは、ＤＲの拡大された領域における有意なＱＰの低減となるため、ＶＤＲに関連するビットストリームのオーバヘッドを減少させ、一般的な品質の改善から低い全体のＱＰを低減させる。図１２は、本発明の実施の形態に係る、例示的なＱＰ制御１２００を示す。実施の形態は、逆マッピングの推定Ｅ＝｜∇Ｍ−１［］｜の勾配又は発散に等しいとして拡大パラメータを計算する。実施の形態では、量子化パラメータは、拡大の逆数に比例する（ＱＰ∝１／＜Ｅ＞）。
【００６８】
実施の形態は、１４ビットの深度に沿って前後にスライドする１０ビット符号化の深度で制御を及ぼす。図１３は、本発明の実施の形態に係る、例示的な画像データパケット１３００を示す。８ビットのＳＤＲセクションは、画像のハイライトのようなヘッドルームに関連する２ビットとシャドウのような詳細に関連する２ビットとの「間でスライドする」。
【００６９】
実施の形態は、ディスプレイマネージメントと統合する。例えば、ソースディスプレイ管理で使用される変換は、実施の形態のコーデック内でＳＤＲとＶＤＲとの間の逆マッピングを整合させ、ＳＤＲの逆マッピングは、フルＶＤＲを本質的に備える。ソースディスプレイ管理変換は、従って、ＳＤＲを高精度ＳＤＲ及びフルＶＤＲに一致させる。このように、デュアルエンドのディスプレイ管理が簡略化される。
【００７０】
デコーダ３２１の出力は、多数のアプリケーションの何れかについて、ひとたびマスタリングされたデジタル画像又はビデオコンテンツとして使用される。図１４は、本発明の実施の形態に係る、複数の復号化されたシグナルアプリケーション１４００を示す。例えば、デコーダ３２１の出力を使用するアプリケーション１４００は、Ｄｏｌｂｙ  Ｌａｂｓ  ＰｒｏＭｏｎｉｔｏｒＴＭ、デジタルプロジェクタ１４０２、現在及び将来のデジタルシネマ１４０３、フィルムトランスファ１４０４、現在及び将来の家電製品及びホームメディアアプリケーション１４０５、ＤＣＩ（Ｄｉｇｉｔａｌ  Ｃｉｎｅｍａ  Ｉｎｉｔｉａｔｉｖｅ）及び関連するＰ３色空間１４０６に関連するアプリケーション、及びＢＴ−７０９色空間１４０７に関連するアプリケーションのようなプロフェッショナルモニタアプリケーション１４０１の１以上を含む。
【００７１】
図１５は、本発明の実施の形態に係る、例示的なカラーギャマット１５００を示す図である。カラーギャマット１５００は、スペクトル軌跡１５０１を有する。スペクトル軌跡１５０１内には、ＢＴ−７０９色空間に関連するギャマット１５０２、ＤＣＩ  Ｐ３色空間に関連するギャマット１５０３、及びＰ４色空間に関連するギャマット１５０４がある。
【００７２】
［例示的なコンピュータシステムの実現］
本発明の実施の形態は、コンピュータシステム、電子回路及びコンポーネントで構成されるシステム、マイクロコントローラのような集積回路（ＩＣ）、フィールドプログラマブルゲートアレイ（ＦＰＧＡ）、又は別の構成可能又はプログラマブルロジックデバイス（ＰＬＤ）、離散時間又はデジタルシグナルプロセッサ（ＤＳＰ）、特定用途向けＩＣ（ＡＳＩＣ）、及び係るシステム、デバイス又はコンポーネントの１以上を含む装置で実現される。コンピュータ及び／又はＩＣは、本明細書で記載されたような画像及び／又はビデオのダイナミックレンジを拡大することに関連する指示を実行、制御又は実施する。コンピュータ及び／又はＩＣは、例えば本明細書で記載された画像及び／又はビデオのダイナミックレンジを拡大することに関連する様々なパラメータ又は値の何れかを計算する。画像及びビデオのダイナミックレンジを拡大する実施の形態は、ハードウェア、ソフトウェア、ファームウェア及びこれらの様々な組み合わせで実現される。
【００７３】
図１６は、本発明の実施の形態が実現される、例示的なコンピュータシステムプラットフォーム１６００を示す。コンピュータシステム１６００は、バス１６０２又は情報を伝達する他の通信メカニズム、及び情報を処理するためにバス１６０２に結合されるプロセッサ１６０４を含む。コンピュータシステム１６００は、プロセッサ１６０４により実行される情報及び命令を記憶するためにバス１６０２に結合される、ランダムアクセスメモリ（ＲＡＭ）又は他のダイナミックストレージデバイスのようなメインメモリ１６０６を含む。メインメモリ１６０６は、プロセッサ１６０４により実行される命令の実行の間に、一時的な変数又は他の中間情報を記憶するために使用される。
【００７４】
コンピュータシステム１６００は、プロセッサ１６０４の静的な情報及び命令を記憶するためにバス１６０２に結合されるリードオンリメモリ（ＲＯＭ）１６０８又は他の静的なストレージデバイスを更に含む。磁気ディスク又は光ディスクのようなストレージデバイス１６１０が設けられ、情報及び命令を記憶するためにバス１６０２に結合される。プロセッサ１６０４は、１以上のデジタルシグナルプロセッシング（ＤＳＰ）機能を実行する。付加的に又は代替的に、ＤＳＰ機能は、別のプロセッサ又は（プロセッサ１６０４で本明細書では表現される）エンティティにより実行される場合がある。
【００７５】
コンピュータシステム１６００は、コンピュータユーザに情報を表示するため、液晶ディスプレイ（ＬＣＤ）、陰極線管（ＣＲＴ）、プラズマディスプレイ等のようなディスプレイ１６１２にバス１６０２を介して結合される。ＬＣＤは、発光ダイオードのアレイを含むデュアル又はＮ変調及び／又はバックライトユニットによる、ＨＤＲ／ＶＤＲ及び／又はＷＣＧ対応ＬＣＤを含む。英数及び他のキーを含む入力装置１６１４は、プロセッサ１６０４に情報及び命令の選択を伝達するため、バス１６０２に結合される。別のタイプのユーザ入力装置は、方向情報及びコマンド選択をプロセッサ１６０４に伝達し、カーソルの動きをディスプレイ１６１２で制御する触覚に基づく「タッチスクリーン」ＧＵＩディスプレイ又はマウス、トラックボール、又はカーソル方向キーのようなカーソルコントロール１６１６である。係る入力装置は、装置が平面における位置を特定するのを可能にする、第一の軸（例えばｘ）及び第二の軸（例えばｙ）である２つの軸で２つの自由度を典型的に有する。
【００７６】
本発明の実施の形態は、画像及び／又はビデオのダイナミックレンジを拡大するコンピュータシステム１６００の使用に関する。本発明の実施の形態は、本明細書で記載された画像及び／又はビデオのダイナミックレンジを計算、拡大するコンピュータシステム１６００の使用に関する。本発明の実施の形態によれば、第一のダイナミックレンジに関連する、第一のカラーギャマット及び／又はビット深度をもつ第一の色空間で表現される入力ビデオ信号は、第二のカラーギャマット及び／又はビット深度をもつ第二の色空間で表現されるビデオ信号に変換される。第二の色空間は、第二のダイナミックレンジと関連される。変換されたビデオ信号の少なくとも２色（例えば３色）に関連する成分は、第二のダイナミックレンジを通してマッピングされる。この特徴は、メインメモリ１６０６に含まれる１以上の命令の１以上の系列を実行するプロセッサ１６０４に応答して機能するコンピュータシステム１６００により提供され、制御され、又は可能にされる。係る命令は、ストレージデバイス１６１０のような別のコンピュータ読み取り可能な記録媒体からメインメモリ１６０６に読み取られる。メインメモリ１６０６に含まれる命令の系列の実行は、プロセッサ１６０４に、本明細書で記載されたプロセスステップを実行させる。マルチプロセッシングアレンジメントにおける１以上のプロセッサは、メインメモリ１６０６に含まれる命令の系列を実行するために使用される。代替的な実施の形態では、本発明を実現するソフトウェア命令の代わりに、又はソフトウェア命令と組み合わせて、ハードワイヤド回路が使用される。従って、本発明の実施の形態は、ハードウェア、回路、ファームウェア及び／又はソフトウェアの特定の組み合わせに限定されない。
【００７７】
本明細書で使用されたとき、用語「コンピュータ読み取り可能な記録媒体」及び／又は「コンピュータ読み取り可能な記録媒体」は、実行のためにプロセッサ１６０４に命令を提供することに加わる何れかの記録媒体を示す。係る記録媒体は、限定されるものではないが、不揮発性媒体、揮発性媒体及び伝送媒体を含む多くの形式を取る。不揮発性媒体は、例えば記憶装置１６１０のような例えば光又は磁気ディスクを含む。揮発性媒体は、メインメモリ１６０６のようなダイナミックメモリを含む。伝送媒体は、バス１６０２を含むワイヤを有する、同軸ケーブル、銅線及び他の導体及び光ファイバを含む。伝送媒体は、無線波及び赤外線及び他の光データ通信の間に生成された、音響（例えば音）又は電磁（例えば光）波の形式を取ることもできる。
【００７８】
コンピュータ読み取り可能な記録媒体の共通の形式は、例えばフロプティカルディスク、フレキシブルディスク、ハードディスク、磁気テープ、又は他の磁気媒体、ＣＤ−ＲＯＭ、他の光媒体、パンチカード、ペーパーテープ、ホールのパターンをもつ他の旧式又は他の物理的な媒体、ＲＡＭ、ＰＲＯＭ及びＥＰＲＯＭ、ＦＬＡＳＨ−ＥＰＲＯＭ、他のメモリチップ又はカートリッジ、以下に記載される伝送波、又はコンピュータが読み取ることができる他の媒体を含む。
【００７９】
様々な形式のコンピュータ読み取り可能な記録媒体は、実行のためにプロセッサ１６０４に１以上の命令の１以上のシーケンスを担持することに係わる。例えば、命令は、リモートコンピュータの磁気ディスクではじめに担持される場合がある。リモートコンピュー多は、命令をそのダイナミックメモリにロードし、モデムを使用して電話回線を通して命令を送出する。コンピュータシステム１６６０に対してローカルにあるモデムは、電話回線でデータを受信し、赤外線送信機を使用してデータを赤外線信号に変換する。バス１６０２に結合される赤外線検出器は、赤外線信号で伝送されるデータを受信し、バス１６０２にデータを配置する。バス１６０２は、データをメインメモリ１６０６に伝送し、メインメモリから、プロセッサ１６０４は、命令を取得及び実行する。メインメモリ１６０６により受信される命令は、プロセッサ１６０４により実行の前又は後の何れかで、ストレージデバイス１６１０で記憶される。
【００８０】
コンピュータシステム１６００は、バス１６０２に結合される通信インタフェース１６１８を含む。通信インタフェース１６１８は、ローカルネットワーク１６２２に接続されるネットワークリンク１６２０に結合する２方向データ通信を提供する。例えば、通信インタフェース１６１８は、統合サービスデジタルネットワーク（ＩＳＤＮ）カード又はデジタル加入者回線（ＤＳＬ）、電話回線の対応するタイプへのデータ通信接続を提供するケーブル又は他のモデムである。別の例として、通信インタフェース１６１８は、互換性のあるＬＡＮへのデータ通信接続を提供するローカルエリアネットワーク（ＬＡＮ）である。ワイヤレスリンクも実現される。何れかの係る実現では、通信インタフェース１６１８は、様々なタイプの情報を表すデジタルデータストリームを伝送する電気、電磁又は光信号を送出及び受信する。
【００８１】
ネットワークリンク１６２０は、他のデータ装置に１以上のネットワークを通してデータ通信を提供する。例えば、ネットワークリンク１６２０は、コストコンピュータ１６２４又はインターネットサービスプロバイダ（ＩＳＰ）（又は電話交換会社）１６２６により動作されるデータ機器にローカルネットワーク１６２２を通して接続を提供する。実施の形態では、ローカルリンク１６２２は、エンコーダ及び／又はデコーダが機能する通信媒体を含む。ＩＳＰ１６２６は、Ｉｎｔｅｒｅｔ１６２８と一般に呼ばれている世界規模のパケットデータ通信ネットワークを通してデータ通信サービスを提供する。ローカルネットワーク１６２２及びＩｎｔｅｒｎｅｔ１６２８の両者は、デジタルデータストリームを搬送する電気、電磁又は光信号を使用する。様々なネットワークを介した信号、及び、コンピュータシステム１６００にデジタルデータを伝送し、コンピュータシステムからデジタルデータを伝送するネットワークリンク１６２０及び通信インタフェース１６１８を介した信号は、情報を伝送する伝送波の例示的な形式である。
【００８２】
コンピュータシステム１６００は、ネットワーク、ネットワークリンク１６２０及び通信インタフェース１６１８を通して、プログラムコードを含めて、メッセージを送出し、データを受信する。
【００８３】
Ｉｎｔｅｒｎｅｔの例では、サーバ１６３０は、Ｉｎｔｅｒｎｅｔ１６２８、ＩＳＰ１６２６、ローカルネットワーク１６２２及び通信インタフェース１６１８を介して、アプリケーションプログラムの要求されたコードを送信する。本発明の実施の形態では、１つの係るダウンロードされたアプリケーション装置は、本明細書で記載された画像及び／又はビデオのダイナミックレンジを拡大することを提供する。
【００８４】
受信されたコードは、受信されたときにプロセッサ１６０４により実行され、及び／又はストレージデバイス１６１０又は後の実行のために他の不揮発性ストレージに記憶される。このように、コンピュータシステム１６００は、伝送波の形式でアプリケーションコードを取得する。
【００８５】
［例示的なＩＣデバイスプラットフォーム］
図１７は、例えば本明細書で記載されたような、画像及び／又はビデオのダイナミックレンジを拡大するため、本発明の実施の形態が実現される、例示的なＩＣデバイス１７００を示す。ＩＣデバイス１７００は、本明細書で記載された改善に関してコンポーネントが機能するエンコーダ及び／又はデコーダ装置のコンポーネントを有する。付加的に又は代替的に、ＩＣデバイス１７００は、本明細書で記載された改善に関してコンポーネントが機能する、ディスプレイ管理、生産施設、Ｉｎｔｅｒｎｅｔ又は電話網、又はエンコーダ及び／又はデコーダが機能する別のネットワークに関連するエンティティ、装置又はシステムのコンポーネントを有する。
【００８６】
ＩＣデバイス１７００は、入力／出力（Ｉ／Ｏ）機能１７０１を有する。Ｉ／Ｏ機能１７０１は、入力信号を受信し、受信した入力信号を、ルーティングファブリック１７１０を介して、ストレージ１７０３と共に機能する中央処理装置（ＣＰＵ）１７０２に送出する。また、Ｉ／Ｏ機能１７０１は、ＩＣデバイス１７００の他のコンポーネント機能からの出力信号を受信し、ルーティングファブリック１７１０を通してシグナルフローの一部を制御する。デジタルシグナルプロセッシング（ＤＳＰ）機能は、離散時間のシグナルプロセッシングに関連する機能を少なくとも実行する。インタフェース１７０５は、外部信号にアクセスし、アクセスした外部信号をＩ／Ｏ機能１７０１に送出し、ＩＣデバイス１７００が信号をエクスポートするのを可能にする。ルーティングファブリック１７１０は、ＩＣデバイス１７００の様々なコンポーネント機能間で信号及び電力を送出する。
【００８７】
アクティブエレメント１７１１は、設定可能な及び／又はプログラマブルな処理エレメント（ＣＰＰＥ）１７１１を備え、係るロジックゲートのアレイは、実施の形態において画像及び／又はビデオのダイナミックレンジを拡大することに関連するＩＣデバイス１７００の専用機能を実行する。付加的に又は代替的に、アクティブエレメント１７１１は、例えばＩＣデバイス１７００がＡＳＩＣを有する、予めアレイ配列構造にされた（例えば特に設計された、アレイ配列にされた、レイアウトされた、フォトリソグラフィエッチングが施された、及び／又は電気的又は電子的に相互接続及びゲート制御された）電界効果トランジスタ（ＦＥＴ）又はバイポーラロジックデバイスを有する。ストレージ１７１２は、ＣＰＰＥ（又は他のアクティブエレメント）１７１１について十分なメモリセルが効果的に機能するように専用にされる。ＣＰＰＥ（又は他のアクティブエレメント）１７１１は、１以上の専用のＤＳＰ機能１７１４を含む。
【００８８】
［列挙された例示的な実施の形態の部分的なリスト］
本明細書で記載されたように、本発明の実施の形態は、以下に列挙されるように、例示的な実施の形態の１以上に関連する。従って、本発明は、限定されるものではないが、本発明の幾つかの部分の構造、特徴及び機能を記載した以下の列挙された例示的な実施の形態（ＥＥＥ）を含む、本明細書に記載された形式の何れかで実施される。
【００８９】
ＥＥＥ１）第一のダイナミックレンジに関連する第一のカラーギャマットをもつ第一の色空間で表現される入力ビデオ信号を、第二のカラーギャマットの第二の色空間で表現されるビデオ信号に変換する段階と、前記第二の色空間は、第二のダイナミックレンジと関連されており、
変換されたビデオ信号の少なくとも２つの色に関連する成分を前記第二のダイナミックレンジを通してマッピングする段階と、
を含む方法。
【００９０】
ＥＥＥ２）前記第二のダイナミックレンジは、前記第一のダイナミックレンジよりも大きい、
ＥＥＥ１記載の方法。
【００９１】
ＥＥＥ３）前記第二のダイナミックレンジは、ビデオ信号に関してイントラフレームに基づいて、人間の視覚系により同時に知覚可能な強度又は色の範囲に及ぶか又は前記強度又は色の範囲を近似する、
ＥＥＥ２記載の方法。
【００９２】
ＥＥＥ４）前記第一のダイナミックレンジは、低い又は標準的なダイナミックレンジのモニタ又はディスプレイでレンダリング可能であるか、或いは陰極線管（ＣＲＴ）モニタ又はディスプレイでレンダリング可能である強度又は色の範囲に及ぶか、又は前記強度又は色の範囲を近似する、
ＥＥＥ２記載の方法。
【００９３】
ＥＥＥ５）前記第二のカラーギャマットは、前記第一のカラーギャマットよりも大きいか、広いか又は深い、
ＥＥＥ１記載の方法。
【００９４】
ＥＥＥ６）前記入力ビデオ信号、前記入力ビデオ信号で表現、送信、記憶又はレンダリングされる画像又は複数の画像フレーム、又は前記第一の色空間の前記第一のカラーギャマットに関連する前記第一のダイナミックレンジは変換される、
ＥＥＥ  １記載の方法。
【００９５】
ＥＥＥ７）変換段階及びマッピング段階に基づいて、前記入力ビデオ信号、前記入力ビデオ信号で表現、送信、記憶又はレンダリングされる画像又は複数の画像フレーム、又は前記第一のダイナミックレンジを、前記第二のダイナミックレンジで表現、送信、記憶又はレンダリングされた１以上の変換されたビデオ信号、変換された画像又は複数の変換された画像の特性に変換する段階を含む、
ＥＥＥ１記載の方法。
【００９６】
ＥＥＥ８）前記第一の色空間又は前記第二の色空間の１以上は、３つの色に関連する成分を有するＲＧＢ色空間を有し、前記色に関連する成分は、赤色成分、緑色成分及び青色成分を含む、
ＥＥＥ１記載の方法。
【００９７】
ＥＥＥ９）前記マッピング段階は、前記第二のダイナミックレンジに前記変換されたビデオ信号の３色に関連する成分をマッピングする段階を含む、
ＥＥＥ８記載の方法。
【００９８】
ＥＥＥ１０）前記第一の色空間は、ＩＴＵ（Ｉｎｔｅｒｎａｔｉｏｎａｌ  Ｔｅｌｅｃｏｍｍｕｎｉｃａｔｉｏｎ  Ｕｎｉｏｎ）のＢＴ．７０９勧告の規格に関連するＲＧＢ色空間に実質的に準拠する、
ＥＥＥ８記載の方法。
【００９９】
ＥＥＥ１１）前記第二の色空間は、ＡＭＰＡＳ（Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ）のＡＣＥＳ（Ａｃａｄｅｍｙ  Ｃｏｌｏｒ  Ｅｎｃｏｄｉｎｇ  Ｓｐｅｃｉｆｉｃａｔｉｏｎ）規格、Ｄｉｇｉｔａｌ  Ｃｉｎｅｍａ  ＩｎｉｔｉａｔｉｖｅのＰ３色空間規格、又はＲＩＭＭ／ＲＯＭＭ（Ｒｅｆｅｒｅｎｃｅ  Ｉｎｐｕｔ  Ｍｅｄｉｕｍ  Ｍｅｔｒｉｃ／Ｒｅｆｅｒｅｎｃｅ  Ｏｕｔｐｕｔ  Ｍｅｄｉｕｍ  Ｍｅｔｒｉｃ）規格に関連するＲＧＢ色空間の少なくとも１つに実質的に準拠する、
ＥＥＥ８記載の方法。
【０１００】
ＥＥＥ１２）前記マッピング段階は、変換された入力ビデオ信号の少なくとも２色に関連する成分にグローバルトーンマッピング動作を施すステップを有する、
ＥＥＥ１記載の方法。
【０１０１】
ＥＥＥ１３）前記マッピング段階は、変換されたビデオ信号の３色に関連する成分にグローバルトーンマッピングを施す段階を含む、
ＥＥＥ１２記載の方法。
【０１０２】
ＥＥＥ１４）変換された入力ビデオ信号の少なくとも２色に関連する成分のそれぞれに関連する飽和レベルを維持する段階を更に含む、
ＥＥＥ１記載の方法。
【０１０３】
ＥＥＥ１５）飽和レベルを維持する段階は、前記入力ビデオ信号に関連する強度値を第二のダイナミックレンジにマッピングする段階を含む、
ＥＥＥ１４記載の方法。
【０１０４】
ＥＥＥ１６）前記強度値は、変換されたビデオ信号のルマに関連する特性又は輝度に関連する特性の１以上を含む、
ＥＥＥ１５記載の方法。
【０１０５】
ＥＥＥ１７）前記強度値は、第一のゲイン設定に従ってスケーリングされる、
ＥＥＥ１５記載の方法。
【０１０６】
ＥＥＥ１８）前記第一のゲイン設定は、変換されたビデオ信号の少なくとも２色に関連する成分の色度に関連する特性又はクロマに関連する特性に関連する値に関して、１０％と２０％との間の値を有する、
ＥＥＥ１７記載の方法。
【０１０７】
ＥＥＥ１９）前記第一のゲイン設定の値は、変換されたビデオ信号の少なくとも２色に関連する成分の色度の特性に関連する値に関して、１５％に等しいか又は１５％に近似する、
ＥＥＥ１７記載の方法。
【０１０８】
ＥＥＥ２０）前記マッピング段階は、第一のダイナミックレンジ及び色空間、並びに第二のダイナミックレンジ及び色空間に関して可逆的である、
ＥＥＥ１記載の方法。
【０１０９】
ＥＥＥ２１）前記マッピング段階は、あるシーンが前記第一のダイナミックレンジをもつ前記ビデオ信号で符号化される第一の画像を、前記シーンが前記第二のダイナミックレンジでレンダリング可能又は表示可能である第二の画像で正規化する段階を含み、
前記マッピング段階は無損失で可逆的である、
ＥＥＥ１記載の方法。
【０１１０】
ＥＥＥ２２）前記変換段階と前記マッピング段階の１以上は、
複数のマトリクス、
複数の可逆的な非線形マッピング、又は
複数の可逆的な線形マッピング
の１以上連結する段階を含む、
ＥＥＥ２１記載の方法。
【０１１１】
ＥＥＥ２３）ａ）前記可逆的な非線形マッピング、又は前記可逆的な線形マッピングの１以上は、それぞれトーンマッピング演算を含み、
Ｂ）前記複数のマトリクスは、３×３アレイを有する、
ＥＥＥ２２記載の方法。
【０１１２】
ＥＥＥ２４）前記可逆的な非線形マッピング又は前記線形マッピングの１以上は、これらの反転に応じて、逆トーンマッピング演算を含む、
ＥＥＥ２３記載の方法。
【０１１３】
ＥＥＥ２５）前記変換されたビデオ信号は、広いカラーギャマットＶＤＲバージョンのコンテンツを有し、
前記入力ビデオ信号は、ＶＤＲの高い精度又は高いビット深度又は広いカラーギャマットに関して、狭い又は浅いカラーギャマットを有するコンテンツのＬＤＲ又はＳＤＲのバージョンを有し、
前記マッピング段階は、前記コンテンツの広いカラーギャマットのＳＤＲ又はＬＤＲを推定する段階を含む、
ＥＥＥ１記載の方法。
【０１１４】
ＥＥＥ２６）前記推定する段階は、コンテンツの広いカラーギャマットのＳＤＲ又はＬＤＲのバージョンの一連の繰返しの推定を生成する段階を含む、
ＥＥＥ２５記載の方法。
【０１１５】
ＥＥＥ２７）前記生成する段階は、前記コンテンツ又は前記マッピングの広いカラーギャマットのＳＤＲ又はＬＤＲのバージョンの１以上を繰返し更新する段階を含み、
前記マッピングは、ＶＤＲの広いカラーギャマットに関して狭いカラーギャマットを有する前記コンテンツの前記広いカラーギャマットのＶＤＲバージョン又は前記コンテンツのＳＤＲ又はＬＤＲバージョンの１以上と、前記コンテンツの広いカラーギャマットのＳＤＲ又はＬＤＲバージョンとの間のレイヤ間のマッピングを含む、
ＥＥＥ２５記載の方法。
【０１１６】
ＥＥＥ２８）前記広いカラーギャマットのＶＤＲコンテンツのバージョン又は前記広いカラーギャマットのＳＤＲ又はＬＤＲコンテンツのバージョンの１以上は、第一のビット精度の範囲を有する、
ＥＥＥ２５記載の方法。
【０１１７】
ＥＥＥ２９）前記第一のビット精度の範囲は、
少なくとも１２ビット、１２ビット及び１４ビットを含めて１２ビットと１４ビットとの間、少なくとも１４ビット又は１４ビット以上の１以上を含む、
ＥＥＥ２５記載の方法。
【０１１８】
ＥＥＥ３０）前記ＶＤＲの広いカラーギャマットに関して低い又は狭い或いは浅いカラーギャマットを有するＳＤＲ又はＬＤＲコンテンツのバージョンは、第二のビット精度の範囲を有する、
ＥＥＥ２５又は２９記載の方法。
【０１１９】
ＥＥＥ３１）前記第二のビット精度の範囲は、１０ビット、１０ビット未満のビット精度、又は前記第一のビット精度未満であるビット精度の１以上を含む、
ＥＥＥ３０記載の方法。
【０１２０】
ＥＥＥ３２）
前記マッピング段階を実行する前に、当該方法は、ブラインド計算又はインフォームド計算の１以上の実行する段階を更に含む、
ＥＥＥ２５，２９及び３１の何れか記載の方法。
【０１２１】
ＥＥＥ３３）前記ブラインド計算は、前記ＳＤＲ又はＬＤＲのコンテンツのバージョンをフィルタリングすることを含む、
ＥＥＥ２５，２９，３１及び３２の何れか記載の方法。
【０１２２】
ＥＥＥ３４）前記ＳＤＲ又はＬＤＲのコンテンツのバージョンをフィルタリングすることは、前記ビデオコンテンツの画像の１以上の平滑な領域において知覚可能な１以上の輪郭のアーチファクトを除去することを含む、
ＥＥＥ２９乃至３３の何れか記載の方法。
【０１２３】
ＥＥＥ３５）前記フィルタリングは、双方向フィルタで前記コンテンツをフィルタリングすることを含む、
ＥＥＥ２５，２９，３１乃至３３の何れか記載の方法。
【０１２４】
ＥＥＥ３６）前記インフォームド計算は、前記広いカラーギャマットのＳＤＲ又はＬＤＲのコンテンツのバージョンを推定することを含む、
ＥＥＥ２５又は３１記載の方法。
【０１２５】
ＥＥＥ３７）前記広いカラーギャマットのＳＤＲ又はＬＤＲのコンテンツのバージョンの推定は、繰返し計算を含む、
ＥＥＥ３６記載の方法。
【０１２６】
ＥＥＥ３８）前記繰返し計算は、前記広いカラーギャマットのＳＤＲ又はＬＤＲ及び前記マッピングを繰返し更新することを含み、前記マッピングは、レイヤ間のマッピングを含む、
ＥＥＥ３６又は３７記載の方法。
【０１２７】
ＥＥＥ３９）第一のダイナミックレンジに関連する第一のカラーギャマットをもつ第一の色空間で表現される入力ビデオ信号を、第二のカラーギャマットの第二の色空間で表現されるビデオ信号に変換する手段と、前記第二の色空間は、第二のダイナミックレンジと関連されており、
変換されたビデオ信号の少なくとも２色に関連する成分を前記第二のダイナミックレンジにマッピングする手段と、
を備えるシステム。
【０１２８】
ＥＥＥ４０）ＥＥＥ１乃至３８の何れか記載の方法の１以上の段階を実行する手段を備える、
ＥＥＥ３９記載のシステム。
【０１２９】
ＥＥＥ４１）第一のダイナミックレンジに関連する第一のカラーギャマットをもつ第一の色空間で表現される入力ビデオ信号を、第二のカラーギャマットの第二の色空間で表現されるビデオ信号に変換する変換機能と、第二の色空間は、第二のダイナミックレンジと関連されており、
変換されたビデオ信号の少なくとも２色に関連する成分を前記第二のダイナミックレンジにマッピングするマッピング機能と、
備えるビデオエンコーダ。
【０１３０】
ＥＥＥ４２）前記第二のダイナミックレンジは、前記第一のダイナミックレンジよりも大きい、
ＥＥＥ４１記載のビデオエンコーダ。
【０１３１】
ＥＥＥ４３）前記第二のダイナミックレンジは、前記ビデオ信号に関してイントラフレームに基づいて、人間の視覚系により同時に知覚できる強度又は色の範囲に及ぶか又は前記強度又は色の範囲を近似する、
ＥＥＥ４１記載のビデオエンコーダ。
【０１３２】
ＥＥＥ４４）前記第一のダイナミックレンジは、低い又は標準的なダイナミックレンジのモニタ又はディスプレイでレンダリング可能であるか、又は陰極線管（ＣＲＴ）モニタ又はディスプレイによりレンダリング可能な強度又は色の範囲に及ぶか又は前記強度又は色の範囲を近似する、
ＥＥＥ４１記載のビデオエンコーダ。
【０１３３】
ＥＥＥ４５）前記第二のカラーギャマットは、前記第一のカラーギャマットよりも広いか、深いか或いは大きい、
ＥＥＥ４１記載のビデオエンコーダ。
【０１３４】
ＥＥＥ４６）前記入力ビデオ信号、前記入力ビデオ信号で表現、送信、記憶又はレンダリングされた画像又は複数の画像フレーム、或いは前記第一の色空間の第一の精度に関連する前記第一のダイナミックレンジの１以上は、１以上の変換されたビデオ信号、前記第二のダイナミックレンジで表現、送信、記憶又はレンダリングされた変換された画像又は複数の変換された画像フレームに変換される、
ＥＥＥ４１記載のビデオエンコーダ。
【０１３５】
ＥＥＥ４７）前記第一の色空間又は前記第二の色空間の１以上は、３色に関連する成分を有するＲＧＢ色空間を備え、前記色に関連する成分は、赤色成分、緑色成分及び青色成分を含む、
ＥＥＥ４１記載のビデオエンコーダ。
【０１３６】
ＥＥＥ４８）前記マッピングステップは、変換されたビデオ信号の３色に関連する成分を第二のダイナミックレンジにマッピングするステップを含む、
ＥＥＥ４７記載のビデオエンコーダ。
【０１３７】
ＥＥＥ４９）前記第一の色空間は、ＩＴＵ（Ｉｎｔｅｒｎａｔｉｏｎａｌ  Ｔｅｌｅｃｏｍｍｕｎｉｃａｔｉｏｎ  Ｕｎｉｏｎ）のＢＴ．７０９勧告の規格に関連するＲＧＢ色空間に実質的に準拠する、
ＥＥＥ４８記載のビデオエンコーダ。
【０１３８】
ＥＥＥ５０）前記第二の色空間は、ＡＭＰＡＳ（Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ）のＡＣＥＳ（Ａｃａｄｅｍｙ  Ｃｏｌｏｒ  Ｅｎｃｏｄｉｎｇ  Ｓｐｅｃｉｆｉｃａｔｉｏｎ）規格、Ｄｉｇｉｔａｌ  Ｃｉｎｅｍａ  ＩｎｉｔｉａｔｉｖｅのＰ３色空間規格、又はＲＩＭＭ／ＲＯＭＭ（Ｒｅｆｅｒｅｎｃｅ  Ｉｎｐｕｔ  Ｍｅｄｉｕｍ  Ｍｅｔｒｉｃ／Ｒｅｆｅｒｅｎｃｅ  Ｏｕｔｐｕｔ  Ｍｅｄｉｕｍ  Ｍｅｔｒｉｃ）規格に関連するＲＧＢ色空間の少なくとも１つに実質的に準拠する、
ＥＥＥ４７記載のビデオエンコーダ。
【０１３９】
ＥＥＥ５１）前記Ｐ３色空間は、Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：  ＳＭＰＴＥ  Ｒｐ４３１−２−２００７又はＥｇ４３２−１−２００７の少なくとも１つに実質的に準拠する、
ＥＥＥ５０記載のビデオエンコーダ。
【０１４０】
ＥＥＥ５２）前記マッピング段階は、変換された入力ビデオ信号の少なくとも２色に関連する成分にグローバルトーンマッピング動作を施すステップを有する、
ＥＥＥ４８記載のビデオエンコーダ。
【０１４１】
ＥＥＥ５３）前記マッピング段階は、変換されたビデオ信号の３色に関連する成分にグローバルトーンマッピングを施す段階を含む、
ＥＥＥ５２記載のビデオエンコーダ。
【０１４２】
ＥＥＥ５４）変換された入力ビデオ信号の少なくとも２色に関連する成分のそれぞれに関連する飽和レベルを維持する段階を更に含む、
ＥＥＥ４８記載のビデオエンコーダ。
【０１４３】
ＥＥＥ５５）飽和レベルを維持する段階は、第二のダイナミックレンジに前記入力ビデオ信号に関連する強度値をマッピングする段階を含む、
ＥＥＥ５４記載のビデオエンコーダ。
【０１４４】
ＥＥＥ５６）前記強度値は、変換されたビデオ信号のルマに関連する特性又は輝度に関連する特性の１以上を含む、
ＥＥＥ５５記載のビデオエンコーダ。
【０１４５】
ＥＥＥ５７）前記強度値は、第一のゲイン設定に従ってスケーリングされる、
ＥＥＥ５５記載のビデオエンコーダ。
【０１４６】
ＥＥＥ５８）前記第一のゲイン設定は、変換されたビデオ信号の少なくとも２色に関連する成分の色度に関連する特性又はクロマに関連する特性に関連する値に関して、１０％と２０％との間の値を有する、
ＥＥＥ５７記載のビデオエンコーダ。
【０１４７】
ＥＥＥ５９）前記第一のゲイン設定の値は、変換されたビデオ信号の少なくとも２色に関連する成分の色度の特性に関連する値に関して、１５％に等しいか又は１５％に近似する、
ＥＥＥ５７記載のビデオエンコーダ。
【０１４８】
ＥＥＥ６０）前記マッピング段階は、第一のダイナミックレンジ及び色空間、並びに第二のダイナミックレンジ及び色空間に関して可逆的である、
ＥＥＥ４８記載のビデオエンコーダ。
【０１４９】
ＥＥＥ６１）前記マッピング段階は、あるシーンが前記第一のダイナミックレンジをもつ前記ビデオ信号で符号化される第一の画像を、前記シーンが前記第二のダイナミックレンジでレンダリング可能又は表示可能である第二の画像で正規化する段階を含み、
前記マッピング段階は無損失で可逆的である、
ＥＥＥ４８記載のビデオエンコーダ。
【０１５０】
ＥＥＥ６２）前記変換段階と前記マッピング段階の１以上は、
複数のマトリクス、
複数の可逆的な非線形マッピング、又は
複数の可逆的な線形マッピング
の１以上連結する段階を含む、
ＥＥＥ６１記載のビデオエンコーダ。
【０１５１】
ＥＥＥ６３）ａ）前記可逆的な非線形マッピング、又は前記可逆的な線形マッピングの１以上は、それぞれトーンマッピング演算を含み、
Ｂ）前記複数のマトリクスは、３×３アレイを有する、
ＥＥＥ６２記載のビデオエンコーダ。
【０１５２】
ＥＥＥ６４）前記可逆的な非線形マッピング又は前記線形マッピングの１以上は、これらの反転に応じて、逆トーンマッピング演算を含む、
ＥＥＥ６３記載のビデオエンコーダ。
【０１５３】
ＥＥＥ６５）前記変換されたビデオ信号は、広いカラーギャマットのＶＤＲバージョンのコンテンツを有し、
前記入力ビデオ信号は、ＶＤＲの広いカラーギャマットに関して、狭い又は浅い或いは小さいカラーギャマットを有するコンテンツのＬＤＲ又はＳＤＲのバージョンを有し、
前記マッピング段階は、前記コンテンツの広いカラーギャマットのＳＤＲ又はＬＤＲバージョンを推定する段階を含む、
ＥＥＥ４８記載のビデオエンコーダ。
【０１５４】
ＥＥＥ６６）前記推定する段階は、前記コンテンツの広いカラーギャマットのＳＤＲ又はＬＤＲのバージョンの一連の繰返しの推定を生成する段階を含む、
ＥＥＥ６５記載のビデオエンコーダ。
【０１５５】
ＥＥＥ６７）前記生成する段階は、前記コンテンツ又は前記マッピングの広いカラーギャマットのＳＤＲ又はＬＤＲのバージョンの１以上を繰返し更新する段階を含み、
前記マッピングは、ＶＤＲの広いカラーギャマットに関して狭い又は浅い或いは小さいカラーギャマットを有する前記コンテンツの前記広いカラーギャマットのＶＤＲバージョン又は前記コンテンツのＳＤＲ又はＬＤＲバージョンの１以上と、前記コンテンツの広いカラーギャマットのＳＤＲ又はＬＤＲバージョンとの間のレイヤ間のマッピングを含む、
ＥＥＥ６５記載のビデオエンコーダ。
【０１５６】
ＥＥＥ６８）前記広いカラーギャマットのＶＤＲコンテンツのバージョン又は前記広いカラーギャマットのＳＤＲ又はＬＤＲコンテンツのバージョンの１以上は、第一のビット精度の範囲を有する、
ＥＥＥ６５記載のビデオエンコーダ。
【０１５７】
ＥＥＥ６９）前記第一のビット精度の範囲は、少なくとも１２ビット、１２ビット及び１４ビットを含めて１２ビットと１４ビットとの間、少なくとも１４ビット又は１４ビット以上の１以上を含む、
ＥＥＥ６５記載のビデオエンコーダ。
【０１５８】
ＥＥＥ７０）前記ＶＤＲの高い精度又は高いビット深度或いは広いカラーギャマットに関して、低い精度又は狭いカラーギャマット或いは浅いビット深度のカラーギャマットを有するＳＤＲ又はＬＤＲコンテンツのバージョンは、第二のビット精度の範囲を有する、
ＥＥＥ６５又は６９記載のビデオエンコーダ。
【０１５９】
ＥＥＥ７１）前記第二のビット精度の範囲は、１０ビット、１０ビット未満のビット精度、又は前記第一のビット精度未満であるビット精度の１以上を含む、
ＥＥＥ７０記載のビデオエンコーダ。
【０１６０】
ＥＥＥ７２）
前記マッピング段階を実行する前に、当該方法は、ブラインド計算又はインフォームド計算の１以上の実行する段階を更に含む、
ＥＥＥ６５，６９及び７１の何れか記載のビデオエンコーダ。
【０１６１】
ＥＥＥ７３）前記ブラインド計算は、前記ＳＤＲ又はＬＤＲのコンテンツのバージョンをフィルタリングすることを含む、
ＥＥＥ６５，６９，７１及び７２の何れか記載のビデオエンコーダ。
【０１６２】
ＥＥＥ７４）前記ＳＤＲ又はＬＤＲのコンテンツのバージョンをフィルタリングすることは、前記ビデオコンテンツの画像の１以上の平滑な領域において知覚可能な１以上の輪郭のアーチファクトを除去することを含む、
ＥＥＥ６９乃至７３の何れか記載のビデオエンコーダ。
【０１６３】
ＥＥＥ７５）前記フィルタリングは、双方向フィルタで前記コンテンツをフィルタリングすることを含む、
ＥＥＥ６５，６９，７１乃至７３の何れか記載のビデオエンコーダ。
【０１６４】
ＥＥＥ７６）前記インフォームド計算は、前記広いカラーギャマットのＳＤＲ又はＬＤＲのコンテンツのバージョンを推定することを含む、
ＥＥＥ６５又は７１記載のビデオエンコーダ。
【０１６５】
ＥＥＥ７７）前記広いカラーギャマットのＳＤＲ又はＬＤＲのコンテンツのバージョンの推定は、繰返し計算を含む、
ＥＥＥ７６記載のビデオエンコーダ。
【０１６６】
ＥＥＥ７８）前記繰返し計算は、前記広いカラーギャマットのＳＤＲ又はＬＤＲ及び前記マッピングを繰返し更新することを含み、前記マッピングは、レイヤ間のマッピングを含む、
ＥＥＥ７６又は７７記載のビデオエンコーダ。
【０１６７】
ＥＥＥ７９）１以上の色空間におけるＡＶＣ（Ａｄｖａｎｃｅｄ  Ｖｉｄｅｏ  Ｃｏｄｅｃ）信号に関連する仕様又は規格に実質的に準拠するビデオ信号をデコードするコンプライアントビットストリームデコーディングコンポーネントと、
デコードされたＡＶＣビデオ信号を第二の色空間を少なくとも有する出力ビデオ信号にマッピングするカラーマッピングコンポーネントとを備え、前記少なくとも第二の色空間は、１以上の第一の色空間とは独立である、
ビデオデコーダ。
【０１６８】
ＥＥＥ８０）前記少なくとも第二の色空間は、プロフェッショナルビデオモニタにより使用され、処理され又はレンダリングされるカラーギャマットに実質的に準拠する色空間を備え、
前記プロフェッショナルビデオモニタは、フィルム又はデジタルシネマ又はテレビ編集、制作、カラータイミング又は色調節に関連する１以上の機能について使用可能である、
ＥＥＥ７９記載のビデオデコーダ。
【０１６９】
ＥＥＥ８１）前記ビデオデコーダは、ＥＥＥ１乃至３８の何れか記載の段階に従って、ＥＥＥ３９又は４０の何れか記載のシステムにより、ＥＥＥ４１乃至７８の１以上に記載のエンコーダにより符号化されたとき、ビデオ信号を復号化する、
ＥＥＥ７９記載のビデオデコーダ。
【０１７０】
ＥＥＥ８２）ＥＥＥ１乃至３８の何れか記載の段階の１以上を実行するコンポーネントと、
ＥＥＥ３９乃至ＥＥＥ４０の何れか記載のシステムを構成し、ＥＥＥ３９乃至４０の何れか記載のシステム手段の１以上を有するコンポーネントと、
ＥＥＥ４１乃至７８の何れか記載のエンコーダを構成し、ＥＥＥ４１乃至７８の何れか記載のエンコーダコンポーネントの１以上を備えるコンポーネントと、
ＥＥＥ７９乃至８１の何れか記載のデコーダを構成し、ＥＥＥ７９乃至８１の何れか記載のデコーダコンポーネントの１以上を備えるコンポーネントと、
ＥＥＥ８３）１以上のプロセッサと、
コンピュータ読み取り可能な記録媒体とを備えるコンピュータシステムであって、
前記コンピュータ読み取り可能な記録媒体は、前記１以上のプロセッサで実行されたとき、前記１以上のプロセッサに、
ＥＥＥ１乃至３８の何れか記載の段階を実行させ、
ＥＥＥ３９乃至４０の何れか記載のシステム手段の１以上を制御させ、
ＥＥＥ４１乃至７８の何れか記載のエンコーダコンポーネントの１以上を制御させ、
ＥＥＥ７９乃至８１の何れか記載のデコーダコンポーネントの１以上を制御させ、
ＥＥＥ８２記載のビデオ装置のコンポーネントの１以上を制御させる、
命令を含む、コンピュータシステム。
【０１７１】
ＥＥＥ８４）ＥＥＥ１乃至３８の何れか記載の１以上の段階を実行する段階と、
ＥＥＥ３９乃至４０の何れか記載のシステム手段の１以上を制御する段階と、
ＥＥＥ４１乃至７８の何れか記載のエンコーダコンポーネントの１以上を制御する段階と、
ＥＥＥ７９乃至８１の何れか記載のデコーダコンポーネントの１以上を制御する段階と、
ＥＥＥ８２記載のビデオ装置のコンポーネントの１以上を制御する段階と、
を含む、コンピュータシステムの使用。
【０１７２】
ＥＥＥ８５）ダイと、
前記ダイ上に設けられる能動素子のアレイであって、ロジック機能を実行するためにプログラムされる能動素子のアレイとを備える集積回路（ＩＣ）デバイスであって、
前記ロジック機能は、
ＥＥＥ１乃至３８の何れか記載の１以上の段階を実行し、
ＥＥＥ３９乃至４０の何れか記載のシステム手段の１以上を制御し、
ＥＥＥ４１乃至７８の何れか記載のエンコーダコンポーネントの１以上を制御し、
ＥＥＥ７９乃至８１の何れか記載のデコーダコンポーネントの１以上を制御し、
ＥＥＥ８２記載のビデオ装置のコンポーネントの１以上を制御する、
ＩＣデバイス。
【０１７３】
ＥＥＥ８６）前記ＩＣデバイスは、
ＥＥＥ３９乃至４０の何れか記載のシステム手段の何れかのコンポーネントと、
ＥＥＥ４１乃至７８の何れか記載のエンコーダコンポーネントの何れかのコンポーネントと、
ＥＥＥ７９乃至８１の何れか記載のデコーダコンポーネントの何れかのコンポーネントと、
ＥＥＥ８２記載のビデオ装置のコンポーネントの何れかのコンポーネントと、
を備えるＥＥＥ８５記載のＩＣデバイス。
【０１７４】
ＥＥＥ８７）前記ＩＣデバイスは、
プロセッサと、
デジタルシグナルプロセッサ（ＤＳＰ）と、
設定可能なロジックデバイス又はプログラマブルロジックデバイス（ＰＬＤ）と、
特定用途向けＩＣ（ＡＳＩＣ）との少なくとも１つを備える、
ＥＥＥ８５又は８６記載のＩＣデバイス。
【０１７５】
ＥＥＥ８８）設定可能なロジックデバイス又はＰＬＤは、フィールドプログラマブルゲートアレイ（ＦＰＧＡ）、マイクロコントローラ、又はＤＳＰの少なくとも１つを備える、
ＥＥＥ８７記載のＩＣデバイス。
【０１７６】
ＥＥＥ８９）１以上のプロセッサにより実行されたとき、前記１以上のプロセッサに、
ＥＥＥ１乃至３８の何れか記載の段階の１以上を実行させ、
ＥＥＥ８３記載のコンピュータシステムを制御させ、
ＥＥＥ８４記載のコンピュータシステムの使用を制御させる、
命令を含むコンピュータ読み取り可能な記録媒体。
【０１７７】
ＥＥＥ９０）１以上のプロセッサにより実行されたときに、前記１以上のプロセッサに、
ＥＥＥ３９又は４０記載のシステム手段の１以上をプログラム、設定、制御又は備え、
ＥＥＥ４１乃至７８の何れか記載のエンコーダコンポーネントの１以上をプログラム、設定、制御又は備え、
ＥＥＥ７９乃至８１の何れか記載のデコーダコンポーネントの１以上をプログラム、設定、制御又は備え、
ＥＥＥ８２記載のビデオ装置のコンポーネントの１以上をプログラム、設定、制御又は備え、
ＥＥＥ８３記載のコンピュータシステムをプログラム、設定、制御又は備え、
ＥＥＥ８４記載のコンピュータシステムの使用をプログラム、設定、制御又は備え、
ＥＥＥ８５乃至８８の何れか記載のＩＣデバイスの１以上をプログラム、設定、又は制御する、命令を含むコンピュータ読み取り可能な記録媒体。
【０１７８】
ＥＥＥ９１）前記コンテンツの広いカラーギャマットのＶＤＲバージョン又は高い精度又は高いビット深度又は広いカラーギャマットのＶＤＲの１以上は、
４：２：２の強度及び色のサンプリングパターン又はコンフィギュレーション、
４：４：４の強度及び色のサンプリングパターン又はコンフィギュレーション、又は
４：２：０の強度及び色のサンプリングパターン又はコンフィギュレーションと関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ２５記載の方法。
【０１７９】
ＥＥＥ９２）前記コンテンツの広いカラーギャマット、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、又は
４：２：０の強度及び色のサンプリングパターン又はコンフィギュレーションと関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ３９記載のシステム。
【０１８０】
ＥＥＥ９３）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ４１記載のビデオエンコーダ。
【０１８１】
ＥＥＥ９４）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ７９記載のビデオデコーダ。
【０１８２】
ＥＥＥ９５）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ８２記載のビデオ装置。
【０１８３】
ＥＥＥ９６）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ８３記載のコンピュータシステム。
【０１８４】
ＥＥＥ９７）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ８３，８９及び９０の何れか記載のビデオデコーダ。
【０１８５】
ＥＥＥ９８）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ８５乃至８８の何れか記載のＩＣデバイス。
【０１８６】
ＥＥＥ９９）前記コンテンツの広いカラーギャマットのＶＤＲバージョン、又は、高い精度又は高いビット深度或いは広いカラーギャマットのＶＤＲの１以上は、
４：２：２の強度及び色のサンプリングパターン又はコンフィギュレーション、
４：４：４の強度及び色のサンプリングパターン又はコンフィギュレーション、
４：２：０の強度及び色のサンプリングパターン又はコンフィギュレーションに関連する精度に少なくとも適合するか又は前記精度を超える強度及び色のサンプリングパターン又はコンフィギュレーション、
の１以上を含む強度及び色のサンプリングパターン又はコンフィギュレーションと関連される、
ＥＥＥ８４記載のコンピュータシステムの使用。
【０１８７】
［等価、拡大、代替及び雑則］
画像及びビデオのダイナミックレンジを拡大することに関する例示的な実施の形態が記載される。上述された明細書では、本発明の実施の形態は、実現毎に変化する場合がある様々な特定の詳細を参照して記載された。従って、何が本発明であるかに関する唯一且つ排他的な指標であって、本発明であるように本出願により意図される唯一且つ排他的な指標は、その後の補正を含めて、係る請求項が生じる特定の形式で、本出願から生じる請求項のセットである。係る請求項に含まれる項について本明細書で明示的に述べた定義は、請求項で使用される係る項の意味を支配する。従って、請求項で明示的に引用されない限定、エレメント、特性、特徴、利点又は属性がないことは、多少なりとも係る請求項の範囲を制限するべきではない。明細書及び図面は、限定的な意味ではなく例示的なものと見なされる。
【０１８８】
いくつかの態様を記載しておく。
〔態様１〕
２チャンネル音声信号からパラメトリック・ステレオ・パラメータを決定するよう構成されるシステムであって、該システムは：
−前記２チャンネル音声信号から得られるサイド信号のノイズの特性を表わすインパクト・ファクタを決定するよう構成されるノイズ推定ステージと、
−前記２チャンネル音声信号および前記インパクト・ファクタに基づいて、前記パラメトリック・ステレオ・パラメータを決定するよう構成されるパラメトリック・ステレオ・パラメータ推定ステージと、
含む、システム。
〔態様２〕
前記２チャンネル音声信号は中央信号及びサイド信号として表現することができ、対応する左及び右の音声信号を表す、態様１記載のシステム。
〔態様３〕
補助音声信号と前記パラメトリック・ステレオ・パラメータとに基づいて、出力音声信号を生成するよう構成されるアップミックス・ステージを更に含み、前記補助音声信号は前記２チャンネル音声信号から得られる、態様１乃至は２記載のシステム。
〔態様４〕
前記パラメトリック・ステレオ・パラメータは、前記２チャンネル音声信号に基づくステレオ信号の生成のために適用される非相関の量に影響を与える、態様１記載のシステム。
〔態様５〕
前記インパクト・ファクタは前記サイド信号のスペクトル平坦性の特性を表わす、態様１乃至４のいずれか１つに記載のシステム。
〔態様６〕
前記パラメトリック・ステレオ・パラメータ推定ステージは
−前記２チャンネル音声信号の第一信号フレームのサンプルを用いて、ノイズのあるパラメトリック・ステレオ・パラメータを決定し、
−前記インパクト・ファクタを用いて、前記ノイズのあるパラメトリック・ステレオ・パラメータを修正することにより前記パラメトリック・ステレオ・パラメータを決定するよう構成される、
態様５記載のシステム。
〔態様７〕
前記パラメトリック・ステレオ・パラメータ推定ステージは
−前記インパクト・ファクタが前記サイド信号のスペクトル平坦性の高い程度を示す場合、前記ノイズのあるパラメトリック・ステレオ・パラメータを修正し、そうしてステレオ信号の生成のために適用される非相関の量を低減するよう構成される、
態様６記載のシステム。
〔態様８〕
前記パラメトリック・ステレオ・パラメータ推定ステージは、前記ノイズのあるパラメトリック・ステレオ・パラメータ及び前記インパクト・ファクタに応じた関数から、前記パラメトリック・ステレオ・パラメータを決定するよう構成される、態様６又は７に記載のシステム。
〔態様９〕
前記パラメトリック・ステレオ・パラメータは前記２チャンネル音声信号の間の相関を示すインターチャンネル相互相関パラメータである、態様１乃至８のいずれか１つに記載のシステム。
〔態様１０〕
−前記インターチャンネル相互相関パラメータは“−１”から“１”までの範囲をカバーし、
−前記インターチャンネル相互相関値“０”は左と右のチャンネルの間に相互相関が無いことを示し、
−前記インターチャンネル相互相関値“１”は左と右のチャンネルの間に完全な相互相関があることを示し、
−前記インターチャンネル相互相関値“−１”は左と右のチャンネルの間に負の完全な相互相関があることを示し、
−前記インパクト・ファクタは“０”から“１”までの範囲をカバーし、
−前記インパクト・ファクタ値“０”は平坦性の低い程度を示し、
−前記インパクト・ファクタ値“１”は平坦性の高い程度を示し、
−前記関数は、前記インパクト・ファクタ値が“０”の場合、前記ノイズのあるインターチャンネル相互相関の値を有し、及び、
−前記関数は、前記インパクト・ファクタ値が“１”の場合、値“１”を有する、
態様９記載のシステム。
〔態様１１〕
前記パラメトリック・ステレオ・パラメータ推定ステージは、関数：
ＩＣＣ＿ｎｅｗ＝（ｉｍｐａｃｔ  ｆａｃｔｏｒ）＋（１−ｉｍｐａｃｔ  ｆａｃｔｏｒ）＊ＩＣＣを用いて、前記ノイズのあるインターチャンネル相互相関パラメータＩＣＣから、インターチャンネル相互相関パラメータＩＣＣ＿ｎｅｗを決定するよう構成される、態様１０記載のシステム。
〔態様１２〕
前記ノイズ推定ステージは、
−前記サイド信号の第二信号フレームのパワースペクトルを計算し、
−前記パワースペクトルのスロープを補償し、それによって補償パワースペクトルを生じ、そして、
−前記補償パワースペクトルの値であって、SFMとして言及されるスペクトル平坦性指標を決定するよう構成される、
態様１乃至１１のいずれか１つに記載のシステム。
〔態様１３〕
前記第一と第二の信号フレームは一致する、態様６を引用する態様１２記載のシステム。
〔態様１４〕
前記SFM値は前記補償パワースペクトルの幾何平均と前記補償パワースペクトルの算術平均との比率として決定される、態様１２又は１３記載のシステム。
〔態様１５〕
前記ノイズ推定ステージは
−前記SFM値をマップし、
−前記マップされたSFM値に基づいて第一のインパクト・ファクタを決定する、
態様１２乃至１４のいずれか１つに記載のシステム。
〔態様１６〕
前記ノイズ推定ステージは前記第一インパクト・ファクタを“０”から“１”までの範囲にマップするよう構成される、態様１５記載のシステム。
〔態様１７〕
前記ノイズ推定ステージは
−第一の低い閾値を下回るSFM値に対して、第一のインパクト・ファクタを“０”に設定し、
−第一の高い閾値を上回るSFM値に対して、第一のインパクト・ファクタを“１”に設定し、
前記第一の低い閾値から前記第一の高い閾値までのSFM値を“０”から“１”までの範囲にスケーリングする、
態様１６記載のシステム。
〔態様１８〕
前記ノイズ推定ステージは、
−前記サイド信号の複数の信号フレームに対応する複数のSFM値を考慮することにより、平滑化SFM値を決定し、
−前記平滑化SFM値をマップし、
−前記マップされた平滑化SFM値に基づいて第二のインパクト・ファクタを決定するよう構成される、態様１２乃至１７のいずれか１つに記載のシステム。
〔態様１９〕
前記ノイズ推定ステージは前記第二のインパクト・ファクタを“０”から“１”までの範囲にマップするよう構成される、態様１８記載のシステム。
〔態様２０〕
前記ノイズ推定ステージは、
−第二の低い閾値を下回る平滑化SFM値に対しては、前記第二のインパクト・ファクタを“０”に設定し、
−第二の高い閾値を上回る平滑化SFM値に対しては、前記第二のインパクト・ファクタを“１”に設定し、
−前記第二の低い閾値から前記第二の高い閾値までの平滑化SFM値を“０”から“１”までの範囲にスケーリングするよう構成される、
態様１９記載のシステム。
〔態様２１〕
前記第一と第二の低い閾値、及び／又は、前記第一と第二の高い閾値は異なるように設定することができる、態様２０記載のシステム。
〔態様２２〕
前記ノイズ推定ステージは前記第一と第二のインパクト・ファクタに基づいてインパクト・ファクタを決定するよう構成される、態様１８乃至２０のいずれか１つに記載のシステム。
〔態様２３〕
前記ノイズ推定ステージは前記インパクト・ファクタとして前記第一と第二のインパクト・ファクタのうち大きい方を選択するよう構成される、態様２２記載のシステム。
〔態様２４〕
前記パラメトリック・ステレオ・パラメータ推定ステージは、チャンネル・レベル・ディフェレンスを示すパラメータを決定するよう更に構成される、態様１乃至２３のいずれか１つに記載のシステム。
〔態様２５〕
−前記中央信号Mと前記サイド信号Sは左音声信号Lと右音声信号Rと関連し、Ｍ＝（Ｌ＋Ｒ）／２及びＳ＝（Ｌ−Ｒ）／２として表され、
−前記補助音声信号は（Ｌ＋Ｒ）／ａとして決定され、ａは実数、好ましくはａ＝２である、
態様３乃至２４のいずれか１つに記載のシステム。
〔態様２６〕
パラメトリック・ステレオをサポートするオーディオ・エンコーダを更に含み、前記オーディオ・エンコーダはパラメトリック・ステレオ・エンコーダを含み、前記パラメトリック・ステレオ・パラメータ推定ステージは前記パラメトリック・ステレオ・エンコーダの部分である、態様１乃至２５のいずれか１つに記載のシステム。
〔態様２７〕
−前記システムは、前記FMステレオ受信機が前記ステレオ無線信号のモノラル出力を選択することを検出するよう構成され、又は、前記システムは、劣悪な無線受信を検出するよう構成され、
−前記FMステレオ受信機がモノラル出力にスイッチされるか、又は、劣悪な無線受信が発生するときは、ステレオ・アップミックス・ステージは１つ以上のアップミックス・パラメータを使用し、当該アップミックス・パラメータは前記パラメトリック・ステレオ・パラメータ推定ステージから以前に推定されたパラメトリック・ステレオ・パラメータに基づく、
態様３乃至２６のいずれか１つに記載のシステム。
〔態様２８〕
中央信号とサイド信号とを含むFM無線信号を受信するよう構成され、態様１乃至２７のいずれか１つに記載のシステムを含む、FMステレオ無線受信機。
〔態様２９〕
モバイル通信装置であって：
−中央信号とサイド信号とを含むFM無線信号を受信するよう構成されるFMステレオ受信機と、
−態様１乃至２７のいずれか１つに記載のシステムと、を含む、
装置。
〔態様３０〕
２チャンネル音声信号からパラメトリック・ステレオ・パラメータを決定する方法であって、該方法は：
−前記２チャンネル音声信号から得られるサイド信号のノイズの特性を表わすインパクト・ファクタを決定するステップと、
−前記パラメトリック・ステレオ・パラメータを決定するステップであって、前記決定するステップは前記２チャンネル音声信号と前記インパクト・ファクタとに基づく、ステップと、を含む、
方法。
〔態様３１〕
プロセッサ上で実行されるよう適応され、コンピュータ・デバイス上で実行されると、態様３０に係る方法ステップ群を実行する、ソフトウェア・プログラム。
〔態様３２〕
プロセッサ上での実行に適応され、コンピュータ・デバイス上で実行されると、態様３０に係る方法ステップ群を実行する、ソフトウェア・プログラムを含む記憶媒体。
〔態様３３〕
コンピュータ上で実行されると、態様３０の方法を実行する実行可能な命令を含む、コンピュータ・プログラム。
【図１】
0006019157.tif 000002
【図２】
0006019157.tif 000003
【図３Ａ】
0006019157.tif 000004
【図３Ｂ】
0006019157.tif 000005
【図４】
0006019157.tif 000006
【図５Ａ】
0006019157.tif 000007
【図５Ｂ】
0006019157.tif 000008
【図５Ｃ】
0006019157.tif 000009
【図６】
0006019157.tif 000010
【図７Ａ】
0006019157.tif 000011
【図７Ｂ】
0006019157.tif 000012
【図８Ａ】
0006019157.tif 000013
【図８Ｂ】
0006019157.tif 000014
【図９Ａ】
0006019157.tif 000015
【図９Ｂ】
0006019157.tif 000016
【図１０】
0006019157.tif 000017
【図１１】
0006019157.tif 000018
【図１２】
0006019157.tif 000019
【図１３】
0006019157.tif 000020
【図１４】
0006019157.tif 000021
【図１５】
0006019157.tif 000022
【図１６】
0006019157.tif 000023
【図１７】
0006019157.tif 000024